(57)【要約】  実施形態において、通信システムのすべてのデータ送信機およびデータ受信機によって等しく使用される均一な（グローバル）ホッピングパターンの代わりに、データ送信機およびデータ受信機は通信のために個別のホッピングパターンを使用する。この個別のホッピングパターンは動作に依存する可能性があるため、データ送信機とデータ受信機自体、またはデータ送信機および／またはデータ受信機の小グループのみが使用し、耐干渉性を大幅に向上させる可能性がある。【選択図】図1
2020517174.tif 000002
【特許請求の範囲】
【請求項１】
個別のホッピングパターン（１４０）を含む信号（１２０）を送信するように構成され、前記個別のホッピングパターン（１４０）は動作パラメータに依存する、データ送信機（１００）。
【請求項２】
前記データ送信機（１００）は、前記動作パラメータに応じて前記個別のホッピングパターン（１４０）を計算するように構成される、請求項１に記載のデータ送信機（１００）。
【請求項３】
前記データ送信機（１００）は、前記動作パラメータに応じてホッピングパターンのセットから前記個別のホッピングパターン（１４０）を選択するように構成される、請求項１または２に記載のデータ送信機（１００）。
【請求項４】
前記ホッピングパターンのセットが前記データ送信機（１００）に知られているか、または前記データ送信機（１００）に割り当てられている、請求項３に記載のデータ送信機（１００）。
【請求項５】
前記データ送信機（１００）の前記動作パラメータは、前記データ送信機（１００）自体の固有のパラメータである、請求項１〜４のいずれか一項に記載のデータ送信機（１００）。
【請求項６】
前記データ送信機（１００）の前記固有のパラメータは、前記データ送信機のアドレス指定情報または識別情報である、請求項５に記載のデータ送信機（１００）。
【請求項７】
前記データ送信機の前記固有のパラメータは、前記データ送信機の水晶公差である、請求項５に記載のデータ送信機（１００）。
【請求項８】
前記データ送信機（１００）は、前記水晶公差に応じて、使用される周波数チャネルの周波数サブチャネルの最大範囲を決定するように構成され、
前記データ送信機（１００）は、前記個別のホッピングパターン（１４０）を計算するか、使用される前記周波数チャネルの前記周波数サブチャネルの最大範囲内にあるようにホッピングパターンのセットから選択するように構成される、請求項７に記載のデータ送信機（１００）。
【請求項９】
前記データ送信機の前記固有のパラメータは周波数オフセットである、請求項７または８に記載のデータ送信機（１００）。
【請求項１０】
前記データ送信機の前記固有のパラメータは、利用可能な送信エネルギーである、請求項５に記載のデータ送信機（１００）。
【請求項１１】
前記データ送信機（１００）は、前記利用可能な送信エネルギーに応じてホッピングパターンをパンクチャリングして前記個別のホッピングパターン（１４０）を取得するように構成される、請求項１０に記載のデータ送信機（１００）。
【請求項１２】
前記データ送信機の前記固有のパラメータは、前記個別のホッピングパターン（１４０）を得るために前記データ送信機（１００）がホッピングパターンに提供する周波数オフセットである、請求項５に記載のデータ送信機（１００）。
【請求項１３】
前記周波数オフセットは、ランダム周波数オフセットである、請求項１２に記載のデータ送信機（１００）。
【請求項１４】
前記データ送信機（１００）は、送信されるユーザデータまたはエラー保護データに応じて前記周波数オフセットを決定するように構成される、請求項１２に記載のデータ送信機（１００）。
【請求項１５】
前記データ送信機（１００）は、前記周波数オフセットを記述する情報を含む前記信号（１２０）を提供するように構成される、請求項１２〜１４のいずれか一項に記載のデータ送信機（１００）。
【請求項１６】
前記データ送信機の前記動作パラメータは、前記データ送信機（１００）に割り当てられたパラメータである、請求項１〜１５のいずれか一項に記載のデータ送信機（１００）。
【請求項１７】
前記データ送信機（１００）に割り当てられた前記パラメータは無線セルである、請求項１６に記載のデータ送信機（１００）。
【請求項１８】
前記個別のホッピングパターン（１４０）は、前記無線セルの基地局または中央制御ユニットによって前記データ送信機（１００）に割り当てられる、請求項１７に記載のデータ送信機（１００）。
【請求項１９】
前記データ送信機（１００）に割り当てられた前記パラメータは、前記データ送信機の地理的位置である、請求項１６に記載のデータ送信機（１００）。
【請求項２０】
前記データ送信機（１００）に割り当てられた前記パラメータは、ホッピングパターンのセットにおける各々のホッピングパターンの使用頻度である、請求項１６に記載のデータ送信機（１００）。
【請求項２１】
前記データ送信機（１００）は、各々の前記使用頻度に応じて前記ホッピングパターンのセットから前記個別のホッピングパターン（１４０）を選択するように構成される、請求項２０に記載のデータ送信機（１００）。
【請求項２２】
前記データ送信機（１００）に割り当てられた前記パラメータは、前記データ送信機の優先度、または前記データ送信機（１００）によって送信されるメッセージの優先度である、請求項１６に記載のデータ送信機（１００）。
【請求項２３】
前記動作パラメータは、ユーザデータまたはユーザデータの一部である、請求項１〜２２のいずれか一項に記載のデータ送信機（１００）。
【請求項２４】
前記動作パラメータは、エラー保護データまたはエラー保護データの一部である、請求項１〜２３のいずれか一項に記載のデータ送信機（１００）。
【請求項２５】
前記ホッピングパターン（１４０）は、周波数ホッピングパターン、時間ホッピングパターン、または周波数ホッピングパターンと時間ホッピングパターンとの組み合わせである、請求項１〜２４のいずれか一項に記載のデータ送信機（１００）。
【請求項２６】
前記データ送信機（１００）は、データパケットを、各々が前記データパケットよりも短い複数のサブデータパケットに分割するように構成され、
前記データ送信機（１００）は、前記ホッピングパターンに従って時間および／または周波数で分配された前記複数のサブデータパケットを送信するように構成される、
請求項１〜２５のいずれか一項に記載のデータ送信機（１００）。
【請求項２７】
前記個別のホッピングパターン（１４０）は、第１の個別のホッピングパターンであり、
前記信号（１２０）は、第２の個別のホッピングパターンを含み、
前記第２の個別のホッピングパターンは、前記第１の個別のホッピングパターン（１４０）または前記動作パラメータに依存する、請求項１〜２６のいずれか一項に記載のデータ送信機（１００）。
【請求項２８】
前記第１の個別のホッピングパターン（１４０）は固定長を有し、前記第２の個別のホッピングパターンは可変長を有する、請求項２７に記載のデータ送信機（１００）。
【請求項２９】
前記データ送信機（１００）は、前記第１の個別のホッピングパターンを使用して固定長のデータを送信するように構成され、
前記データ送信機（１００）は、前記第２の個別のホッピングパターンを使用して可変長のデータを送信するように構成される、請求項２８に記載のデータ送信機（１００）。
【請求項３０】
前記データ送信機（１００）は、前記第１の個別のホッピングパターン（１４０）または前記動作パラメータに応じて、ホッピングパターンのセットから前記第２の個別のホッピングパターンを選択するように構成される、請求項２７〜２９のいずれか一項に記載のデータ送信機（１００）。
【請求項３１】
前記データ送信機（１００）は、前記第１の個別のホッピングパターン（１４０）または前記動作パラメータに応じてホッピングパターンを適合させて前記第２の個別のホッピングパターンを取得するように構成される、請求項２７〜２９のいずれか一項に記載のデータ送信機（１００）。
【請求項３２】
データ送信機（１００）から信号（１２０）を受信するように構成されたデータ受信機（１１０）であって、前記信号（１２０）は個別のホッピングパターン（１４０）を含み、
前記個別のホッピングパターン（１４０）は前記データ送信機の動作パラメータに依存する、データ受信機（１１０）。
【請求項３３】
前記データ受信機（１１０）は、前記データ送信機の前記動作パラメータを知っている、請求項３２に記載のデータ受信機（１１０）。
【請求項３４】
前記データ受信機（１１０）は、前記動作パラメータを使用して前記データ送信機の前記個別のホッピングパターン（１４０）を計算するように構成される、請求項３３に記載のデータ受信機（１１０）。
【請求項３５】
前記データ受信機（１１０）は、ホッピングパターンのセットから、前記動作パラメータに応じて、前記データ送信機の前記個別のホッピングパターン（１４０）を決定するように構成される、請求項３２〜３４のいずれか一項に記載のデータ受信機（１１０）。
【請求項３６】
前記データ受信機（１１０）は、前記データ送信機（１００）に対して前記ホッピングパターンのセットを指定するように構成される、請求項３５に記載のデータ受信機（１１０）。
【請求項３７】
前記ホッピングパターンのセットが、前記データ受信機（１１０）および前記データ送信機（１００）に知られている、請求項３５に記載のデータ受信機（１１０）。
【請求項３８】
前記動作パラメータは、前記個別のホッピングパターンの使用頻度である、請求項３２〜３７のいずれか一項に記載のデータ受信機（１１０）。
【請求項３９】
前記データ受信機（１１０）は、前記個別のホッピングパターンの検出に使用される計算性能を、前記個別のホッピングパターンの前記使用頻度に関して適合させるように構成される、請求項３８に記載のデータ受信機（１１０）。
【請求項４０】
前記動作パラメータは、前記データ送信機の優先度、または前記データ送信機（１００）によって送信されるメッセージの優先度である、請求項３２〜３９のいずれか一項に記載のデータ受信機（１１０）。
【請求項４１】
前記データ受信機（１１０）は、前記個別のホッピングパターンの前記検出に使用される計算性能を前記優先度に応じて適合させるように構成される、請求項４０に記載のデータ受信機（１１０）。
【請求項４２】
前記動作パラメータは、前記データ送信機の水晶公差である、請求項３２〜４１のいずれか一項に記載のデータ受信機（１１０）。
【請求項４３】
前記データ受信機（１１０）は、前記データ送信機の前記水晶公差に依存する周波数オフセットを決定するように構成され、
前記データ送信機は、前記データ受信機（１１０）により知られているホッピングパターンを送信して前記周波数オフセットから生じる前記データ送信機の前記個別のホッピングパターン（１４０）を決定する、請求項４２に記載のデータ受信機（１１０）。
【請求項４４】
前記個別のホッピングパターン（１４０）は、第１の個別のホッピングパターン（１４０）であり、
前記信号（１２０）は、第２の個別のホッピングパターンを含み、
前記第２の個別のホッピングパターンは、前記第１の個別のホッピングパターン（１４０）または前記動作パラメータに依存する、請求項３２〜４３のいずれか一項に記載のデータ受信機（１１０）。
【請求項４５】
前記第１の個別のホッピングパターン（１４０）は固定長を有し、
前記第２の個別のホッピングパターンは可変長を有する、請求項４４に記載のデータ受信機（１１０）。
【請求項４６】
前記データ受信機（１１０）は、前記第１の個別のホッピングパターンを使用して固定長のデータを受信するように構成され、
前記データ受信機（１１０）は、前記第２の個別のホッピングパターンを使用して可変長のデータを受信するように構成される、請求項４５に記載のデータ受信機（１１０）。
【請求項４７】
前記データ受信機（１１０）は、前記第１の個別のホッピングパターン（１４０）または前記動作パラメータに応じて、ホッピングパターンのセットから前記第２の個別のホッピングパターンを選択するように構成される、請求項４４〜４６のいずれか一項に記載のデータ受信機（１１０）。
【請求項４８】
前記データ受信機（１１０）は、前記第１の個別のホッピングパターン（１４０）または前記動作パラメータに応じてホッピングパターンを適合させて、前記第２の個別のホッピングパターンを取得するように構成される、請求項４４〜４６のいずれか一項に記載のデータ受信機（１１０）。
【請求項４９】
請求項１〜３１のいずれか一項に記載のデータ送信機（１００）と、
請求項３２〜４８のいずれか一項に記載のデータ受信機（１１０）と、を備えたシステム。
【請求項５０】
信号（１２０）を送信する方法（１６０）であって、
前記信号を送信すること（１６２）であって、前記信号は個別のホッピングパターン（１４０）を含み、
前記個別のホッピングパターン（１４０）は送信機側の動作パラメータに依存する、送信すること（１６２）を含む、方法（１６０）。
【請求項５１】
信号（１２０）を受信する方法（１７０）であって、
前記信号を受信すること（１７２）であって、前記信号は個別のホッピングパターン（１４０）を含み、
前記個別のホッピングパターン（１４０）は送信機側の動作パラメータに依存する、受信すること（１７２）を含む、方法（１７０）。
【請求項５２】
請求項５０または５１に記載の方法を実行するためのコンピュータプログラム。
【請求項５３】
ホッピングパターン（１４０）に従ってデータ（１２０）を送信するように構成されたデータ送信機（１００）であって、
前記データ送信機（１００）は、前記ホッピングパターン（１４０）における複数のホップ（１４２）のうちの選択されたホップでのみ前記データを送信するように構成される（１４０）、
前記データ送信機（１００）は、ランダムにまたは動作パラメータに応じて前記ホップを選択するように構成される、データ送信機（１００）。
【請求項５４】
前記ホッピングパターン（１４０）における前記選択されたホップは、前記ホッピングパターン（１４０）における前記複数のホップのサブセットである、請求項１〜３１のいずれか一項に記載のデータ送信機（１００）。
【請求項５５】
ホッピングパターン（１４０）に従ってデータ（１２０）を受信するように構成されたデータ受信機（１１０）であって、
前記データ（１２０）は、データ送信機（１００）によって前記ホッピングパターン（１４０）における複数のホップ（１４２）のうちの選択されたホップでのみ送信され、
前記ホップはランダムに、または動作パラメータに応じて選択される、データ受信機（１１０）。
【請求項５６】
前記データ受信機（１１０）は、前記ホッピングパターンの前記複数のホップのすべてのホップを使用して検出を実行して、前記複数のホップのすべてのホップの検出結果を取得するように構成される、請求項５５に記載のデータ受信機（１１０）。
【請求項５７】
前記データ受信機（１１０）は、前記ホッピングパターンの前記複数のホップのすべてのホップの前記検出結果を組み合わせて前記データを決定するように構成される、請求項５６に記載のデータ受信機（１１０）。
【請求項５８】
請求項５３または５４に記載のデータ送信機（１００）と、
請求項５５〜５７のいずれか一項に記載のデータ受信機（１１０）と、を備えたシステム。
【請求項５９】
ホッピングパターンに従ってデータ（１２０）を送信する方法（１８０）であって、
前記ホッピングパターンの複数のホップのうちのホップのサブセットを選択するステップ（１８２）であって、
前記ホップのサブセットは、ランダムにまたは動作パラメータに応じて、複数のホップから選択される選択ステップ（１８２）と、
前記ホッピングパターンの前記選択されたホップで前記データを送信するステップ（１８４）と、を含む、方法（１８０）。
【請求項６０】
任意のホッピングパターンに従ってデータ（１２０）を受信する方法（１９０）であって、
前記データを受信するステップ（１９２）であって、前記データは、前記ホッピングパターン（１４０）における複数のホップ（１４２）の選択されたホップでのみ送信され、前記ホップはランダムにまたは動作パラメータに応じて選択される、受信するステップ（１９２）を含む、方法（１９０）。
【請求項６１】
請求項５９または６０に記載の方法を実行するためのコンピュータプログラム。
【請求項６２】
ホッピングパターンのセットを生成する方法（２００）であって、
複数のホッピングパターンをランダムに生成するステップ（２０２）であって、前記ホッピングパターンは、時間および周波数で分布する少なくとも２つのホップを含む、生成するステップ（２０２）と、
指定された自己相関特性を有するホッピングパターンを取得するために、前記複数のホッピングパターンから、自己相関関数が指定された自己相関特性を含む前記ホッピングパターンを選択するステップ（２０４）と、を含む、方法（２００）。
【請求項６３】
前記自己相関関数の計算を適用して、前記複数のホッピングパターンを２次元の時間および周波数占有行列にマッピングするステップを含む、請求項６２に記載の方法（２００）。
【請求項６４】
前記複数のホッピングパターンをマッピングする前記ステップは、起こりうる隣接周波数位置の影響（隣接チャネル干渉）を考慮して実行される、請求項６３に記載の方法（２００）。
【請求項６５】
前記自己相関関数は、２次元の自己相関関数である、請求項６２〜６４のいずれか一項に記載の方法（２００）。
【請求項６６】
前記ホッピングパターンを選択する際に、自己相関関数側の最大値が指定された最大振幅閾値を超えないホッピングパターンが、指定された前記自己相関特性を満たす、請求項６２〜６５のいずれか一項に記載の方法（２００）。
【請求項６７】
前記振幅閾値は、繰り返される前記ホッピングパターンのサブホッピングパターンを形成し、時間および／または周波数でシフトされるホップ数に等しい、請求項６６に記載の方法（２００）。
【請求項６８】
前記ホッピングパターンを選択する際に、各々の前記自己相関関数の指定された数の最大振幅値にわたって形成される小計が指定された閾値より小さい前記ホッピングパターンが、指定された前記自己相関特性を満たす、請求項６２〜６７のいずれか一項に記載の方法（２００）。
【請求項６９】
少なくとも２つのホッピングパターンが指定された前記自己相関特性を満たすように前記閾値が選択される、
または、境界パラメータに応じて前記閾値が選択される、請求項６８に記載の方法（２００）。
【請求項７０】
指定された自己相関特性を有する前記ホッピングパターン間の相互相関関数を計算するステップ（２０６）と、
指定された自己相関特性を有する前記ホッピングパターンから、指定された自己相関特性および指定された相互相関特性を有するホッピングパターンを得るために、その相互相関関数が指定された相互相関特性を含む前記ホッピングパターンを選択するステップ（２０８）と、をさらに含む、請求項６２〜６９のいずれか一項に記載の方法（２００）。
【請求項７１】
前記相互相関関数は、２次元相互相関関数である、請求項７０に記載の方法（２００）。
【請求項７２】
指定された自己相関特性を有する前記ホッピングパターンから前記ホッピングパターンを選択する際に、各々の前記相互相関関数の指定された数の最大振幅値にわたって形成される小計が最小のものである前記ホッピングパターンは、指定された前記相互相関特性を満たす、請求項７０または７１に記載の方法（２００）。
【請求項７３】
前記複数のホッピングパターンをランダムに生成する際に、各々の前記ホッピングパターンの前記ホップが指定された周波数帯域内にあるように前記ホッピングパターンが生成される、請求項６２〜７２のいずれか一項に記載の方法（２００）。
【請求項７４】
複数のさらなるホッピングパターンをランダムに生成することであって、前記さらなるホッピングパターンは、周波数と時間に分布する少なくとも２つのホップを含む、生成することと、
指定された自己相関特性を有するさらなるホッピングパターンを得るために、前記複数のさらなるホッピングパターンから、その自己相関関数が指定された自己相関特性を含むさらなる前記ホッピングパターンを選択することと、をさらに含み、
前記複数のさらなるホッピングパターンをランダムに生成する際、前記さらなるホッピングパターンは、前記各々のさらなるホッピングパターンの前記ホップが指定されたさらなる周波数帯域内にあるように生成され、
前記指定された周波数帯域と前記指定されたさらなる周波数帯域とは、少なくとも部分的に重複している、請求項７３に記載の方法（２００）。
【請求項７５】
前記相互相関関数を計算する際に、前記相互相関関数は、指定された自己相関特性を有する前記ホッピングパターンと、指定された自己相関特性を有するさらなる前記ホッピングパターンとの間で計算され、
指定された自己相関特性を有する前記ホッピングパターンおよび指定された自己相関特性を有するさらなる前記ホッピングパターンから前記ホッピングパターンを選択する際に、その相互相関関数が指定された相互相関特性を含む前記ホッピングパターンが選択される、請求項７０〜７２または７４のいずれか一項に記載の方法（２００）。
【請求項７６】
ホッピングパターンによる信号の送信であって、
前記ホッピングパターンは、時間ホッピングパターン、周波数ホッピングパターン、または前記時間ホッピングパターンと前記周波数ホッピングパターンとの組み合わせであり、
前記時間ホッピングパターンは、各々２４のホップを有する次の８つの時間ホッピングパターンのいずれかであり：
【表１】
2020517174.tif 000032
表の各行は時間ホッピングパターンであり、
前記表の各列は第２のホップから始まる各々の前記時間ホッピングパターンのホップであるため、各時間ホッピングパターンは２４のホップを含み、
前記表の各セルは各々の前記ホップの基準点から、次のホップの同じ基準点までのシンボルの持続時間（できれば倍数）における時間間隔を示し、
前記周波数ホッピングパターンは、各々２４のホップを有する次の８つの周波数ホッピングパターンのいずれかであり：
【表２】
2020517174.tif 000033
表の各行は周波数ホッピングパターンであり、
前記表の各列は各々の前記周波数ホッピングパターンのホップであり、前記表の各セルはＵＣＧ＿Ｃ０からＵＣＧ＿２３までのキャリアの各周波数ホッピングパターンの各ホップの送信周波数を示す、送信。
【請求項７７】
前記信号は、±２０ｐｐｍ以上の水晶公差を含むノードによって送信される、請求項７６に記載の送信。
【請求項７８】
ホッピングパターンに従った信号の送信であって、
前記ホッピングパターンは、時間ホッピングパターン、周波数ホッピングパターン、または前記時間ホッピングパターンと前記周波数ホッピングパターンとの組み合わせであり、
前記時間ホッピングパターンは、各々２４のホップを有する次の８つの時間ホッピングパターンのいずれかであり：
【表３】
2020517174.tif 000034
表の各行は時間ホッピングパターンであり、
前記表の各列は第２のホップから始まる各々の前記時間ホッピングパターンのホップであるため、各時間ホッピングパターンは２４のホップを含み、
前記表の各セルは各々の前記ホップの基準点から、次のホップの同じ基準点までのシンボルの持続時間（できれば倍数）における時間間隔を示し、
前記周波数ホッピングパターンは、各々２４のホップを有する次の８つの周波数ホッピングパターンのいずれかであり：
【表４】
2020517174.tif 000035
表の各行は周波数ホッピングパターンであり、
前記表の各列は各々の前記周波数ホッピングパターンのホップであり、
前記表の各セルはＵＣＧ＿Ｃ０からＵＣＧ＿Ｃ２４までのキャリアの各々の前記周波数ホッピングパターンの各々の前記ホップの送信周波数を示す、送信。
【請求項７９】
前記信号は、±１０ｐｐｍ以上の水晶公差を含むノードによって送信される、請求項７８に記載の送信。
【請求項８０】
データパケットが前記ホッピングパターンに従って複数のサブデータパケットに分割されて送信され、前記複数のサブデータパケットのサブデータパケットが前記ホッピングパターンの各ホップで送信される、請求項７９に記載の送信。
【請求項８１】
前記ホッピングパターンは、前記時間ホッピングパターンと前記周波数ホッピングパターンとの組み合わせであり、
前記時間ホッピングパターンと前記周波数ホッピングパターンは、各々の前記表において同じ行番号を含む、請求項８０に記載の送信。
【請求項８２】
ホッピングパターンを持つ信号の受信であって、
前記ホッピングパターンは、時間ホッピングパターン、周波数ホッピングパターン、または前記時間ホッピングパターンと前記周波数ホッピングパターンの組み合わせであり、
前記時間ホッピングパターンは、各々２４のホップを有する次の８つの時間ホッピングパターンのいずれかであり：
【表５】
2020517174.tif 000036
表の各行は時間ホッピングパターンであり、
前記表の各列は第２のホップから始まる各々の前記時間ホッピングパターンのホップであるため、各時間ホッピングパターンは２４のホップを含み、
前記表の各セルは各々の前記ホップの基準点から、次のホップの同じ基準点までのシンボルの持続時間（できれば倍数）における時間間隔を示し、
前記周波数ホッピングパターンは、各々２４のホップを有する次の８つの周波数ホッピングパターンのいずれかであり：
【表６】
2020517174.tif 000037
表の各行は周波数ホッピングパターンであり、
前記表の各列は各々の前記周波数ホッピングパターンのホップであり、
前記表の各セルはＵＣＧ＿Ｃ０からＵＣＧ＿Ｃ２３までのキャリアの各々の前記周波数ホッピングパターンの各々の前記ホップの送信周波数を示す、受信。
【請求項８３】
ホッピングパターンを持つ信号の受信であって、
前記ホッピングパターンは、時間ホッピングパターン、周波数ホッピングパターン、または前記時間ホッピングパターンと前記周波数ホッピングパターンの組み合わせであり、
前記時間ホッピングパターンは、各々２４のホップを有する次の８つの時間ホッピングパターンのいずれかであり：
【表７】
2020517174.tif 000038
表の各行は時間ホッピングパターンであり、
前記表の各列は第２のホップから始まる各々の前記時間ホッピングパターンのホップであるため、各時間ホッピングパターンは２４のホップを含み、
前記表の各セルは各々の前記ホップの基準点から、次のホップの同じ基準点までのシンボルの持続時間（できれば倍数）における時間間隔を示し、
前記周波数ホッピングパターンは、各々２４のホップを有する次の８つの周波数ホッピングパターンのいずれかであり：
【表８】
2020517174.tif 000039
表の各行は周波数ホッピングパターンであり、
前記表の各列は各々の前記周波数ホッピングパターンのホップであり、
前記表の各セルはＵＣＧ＿Ｃ０からＵＣＧ＿Ｃ２９までのキャリアの各々の前記周波数ホッピングパターンの各々の前記ホップの送信周波数を示す、受信。
【請求項８４】
ホッピングパターンによる信号の送信であって、
前記ホッピングパターンは、時間ホッピングパターン、周波数ホッピングパターン、または前記時間ホッピングパターンと前記周波数ホッピングパターンとの組み合わせであり、
前記時間ホッピングパターンは、各々１８のホップを有する次の８つの時間ホッピングパターンのいずれかであり：
【表９】
2020517174.tif 000040
表の各行は時間ホッピングパターンであり、
前記表の各列は第２のホップから始まる各々の前記時間ホッピングパターンのホップであるため、各時間ホッピングパターンは１８のホップを含み、
前記表の各セルは各々の前記ホップの基準点から、次のホップの同じ基準点までのシンボルの持続時間（できれば倍数）における時間間隔を示し、
前記周波数ホッピングパターンは、各々１８のホップを有する次の８つの周波数ホッピングパターンのいずれかであり：
【表１０】
2020517174.tif 000041
表の各行は周波数ホッピングパターンであり、
前記表の各列は各々の前記周波数ホッピングパターンのホップであり、
前記表の各セルはＵＣＧ＿Ｃ０からＵＣＧ＿２３までのキャリアの各周波数ホッピングパターンの各ホップの送信周波数を示す、送信。
【請求項８５】
前記信号は、±２０ｐｐｍ以上の水晶公差を含むノードによって送信される、請求項８４に記載の送信。
【請求項８６】
ホッピングパターンに従った信号の送信であって、
前記ホッピングパターンは、時間ホッピングパターン、周波数ホッピングパターン、または前記時間ホッピングパターンと前記周波数ホッピングパターンとの組み合わせであり、
前記時間ホッピングパターンは、各々１８のホップを有する次の８つの時間ホッピングパターンのいずれかであり：
【表１１】
2020517174.tif 000042
表の各行は時間ホッピングパターンであり、
前記表の各列は第２のホップから始まる各々の前記時間ホッピングパターンのホップであるため、各時間ホッピングパターンは１８のホップを含み、
前記表の各セルは各々の前記ホップの基準点から、次のホップの同じ基準点までのシンボルの持続時間（できれば倍数）における時間間隔を示し、
前記周波数ホッピングパターンは、各々１８のホップを有する次の８つの周波数ホッピングパターンのいずれかであり：
【表１２】
2020517174.tif 000043
表の各行は周波数ホッピングパターンであり、
前記表の各列は各々の前記周波数ホッピングパターンのホップであり、
前記表の各セルはＵＣＧ＿Ｃ０からＵＣＧ＿Ｃ２９までのキャリアの各々の前記周波数ホッピングパターンの各々の前記ホップの送信周波数を示す、送信。
【請求項８７】
前記信号は、±１０ｐｐｍ以上の水晶公差を含むノードによって送信される、請求項８６に記載の送信。
【請求項８８】
データパケットが前記ホッピングパターンに従って複数のサブデータパケットに分割されて送信され、
前記複数のサブデータパケットのサブデータパケットが前記ホッピングパターンの各ホップで送信される、請求項８７に記載の送信。
【請求項８９】
前記ホッピングパターンは、前記時間ホッピングパターンと前記周波数ホッピングパターンとの組み合わせであり、
前記時間ホッピングパターンと前記周波数ホッピングパターンは、各々の前記表において同じ行番号を含む、請求項８８に記載の送信。
【請求項９０】
ホッピングパターンを持つ信号の受信であって、
前記ホッピングパターンは、時間ホッピングパターン、周波数ホッピングパターン、または前記時間ホッピングパターンと前記周波数ホッピングパターンの組み合わせであり、
前記時間ホッピングパターンは、各々１８のホップを有する次の８つの時間ホッピングパターンのいずれかであり：
【表１３】
2020517174.tif 000044
表の各行は時間ホッピングパターンであり、
前記表の各列は第２のホップから始まる各々の前記時間ホッピングパターンのホップであるため、各時間ホッピングパターンは１８のホップを含み、
前記表の各セルは各々の前記ホップの基準点から、次のホップの同じ基準点までのシンボルの持続時間（できれば倍数）における時間間隔を示し、
前記周波数ホッピングパターンは、各々１８のホップを有する次の８つの周波数ホッピングパターンのいずれかであり：
【表１４】
2020517174.tif 000045
表の各行は周波数ホッピングパターンであり、
前記表の各列は各々の前記周波数ホッピングパターンのホップであり、
前記表の各セルはＵＣＧ＿Ｃ０からＵＣＧ＿Ｃ２３までのキャリアの各々の前記周波数ホッピングパターンの各々の前記ホップの送信周波数を示す、受信。
【請求項９１】
ホッピングパターンを持つ信号の受信であって、
前記ホッピングパターンは、時間ホッピングパターン、周波数ホッピングパターン、または前記時間ホッピングパターンと前記周波数ホッピングパターンの組み合わせであり、
前記時間ホッピングパターンは、各々１８のホップを有する次の８つの時間ホッピングパターンのいずれかであり：
【表１５】
2020517174.tif 000046
表の各行は時間ホッピングパターンであり、
前記表の各列は第２のホップから始まる各々の前記時間ホッピングパターンのホップであるため、各時間ホッピングパターンは１８のホップを含み、
前記表の各セルは各々の前記ホップの基準点から、次のホップの同じ基準点までのシンボルの持続時間（できれば倍数）における時間間隔を示し、
前記周波数ホッピングパターンは、各々１８のホップを有する次の８つの周波数ホッピングパターンのいずれかであり：
【表１６】
2020517174.tif 000047
表の各行は周波数ホッピングパターンであり、
前記表の各列は各々の前記周波数ホッピングパターンのホップであり、
前記表の各セルはＵＣＧ＿Ｃ０からＵＣＧ＿Ｃ２９までのキャリアの各々の前記周波数ホッピングパターンの各々の前記ホップの送信周波数を示す、受信。
【発明の詳細な説明】
【技術分野】
【０００１】
実施形態は、データ送信機に関し、特に、個別のホッピングパターンを使用してデータを送信するデータ送信機に関する。
さらなる実施形態は、データ受信機に関し、特に、個別のホッピングパターンを使用して送信されたデータを受信するデータ受信機に関する。
さらなる実施形態は、特定のホッピングパターンを生成することに関する。
さらなる実施形態は、特定のホッピングパターンを使用してデータを送信および受信することに関する。
いくつかの実施形態は、テレグラム分割のための特定のホッピングパターンに関する。
いくつかの実施形態は、ホッピングパターンを生成するための最適化プロセスに関する。
【背景技術】
【０００２】
独国特許第１０２０１１０８２０９８号公報は、テレグラム（またはデータパケット）が、ホッピングパターンを使用して、時間および随意により周波数において分散方式で送信される複数のサブデータパケットに分割される、テレグラム分割方法を説明している。
【０００３】
国際公開第２０１５／１２８３８５号公報は、エネルギー源としてエネルギー収集要素を含むデータ伝送アレイを記載している。
データ送信アレイは、テレグラム分割方法を使用してデータを送信するように構成され、エネルギー供給ユニットによって提供される電気エネルギーの量に応じて、送信される部分パケットは、送信され、バッファリングされ、および追って送信されるかまたは破棄される。
【０００４】
出版物［Ｇ．Ｋｉｌｉａｎ，Ｈ．Ｐｅｔｋｏｖ，Ｒ．Ｐｓｉｕｋ，Ｈ．Ｌｉｅｓｋｅ，Ｆ．Ｂｅｅｒ，Ｊ．Ｒｏｂｅｒｔ，ａｎｄ  Ａ．Ｈｅｕｂｅｒｇｅｒ，“Ｉｍｐｒｏｖｅｄ  ｃｏｖｅｒａｇｅ  ｆｏｒ  ｌｏｗ−ｐｏｗｅｒ  ｔｅｌｅｍｅｔｒｙ  ｓｙｓｔｅｍｓ  ｕｓｉｎｇ  ｔｅｌｅｇｒａｍ  ｓｐｌｉｔｔｉｎｇ，”ｉｎ  Ｐｒｏｃｅｅｄｉｎｇｓ  ｏｆ  ２０１３  Ｅｕｒｏｐｅａｎ  Ｃｏｎｆｅｒｅｎｃｅ  ｏｎ  Ｓｍａｒｔ  Ｏｂｊｅｃｔｓ，Ｓｙｓｔｅｍｓ  ａｎｄ  Ｔｅｃｈｎｏｌｏｇｉｅｓ（ＳｍａｒｔＳｙｓＴｅｃｈ），２０１３］では、テレグラム分割法を使用した低エネルギーテレメトリシステムの改善された範囲について説明している。
【０００５】
出版物［Ｇ．Ｋｉｌｉａｎ，Ｍ．Ｂｒｅｉｌｉｎｇ，Ｈ．Ｈ．Ｐｅｔｋｏｖ，Ｈ．Ｌｉｅｓｋｅ，Ｆ．Ｂｅｅｒ，Ｊ．Ｒｏｂｅｒｔ，ａｎｄ  Ａ．Ｈｅｕｂｅｒｇｅｒ，“Ｉｎｃｒｅａｓｉｎｇ  Ｔｒａｎｓｍｉｓｓｉｏｎ  Ｒｅｌｉａｂｉｌｉｔｙ  ｆｏｒ  Ｔｅｌｅｍｅｔｒｙ  Ｓｙｓｔｅｍｓ  Ｕｓｉｎｇ  Ｔｅｌｅｇｒａｍ  Ｓｐｌｉｔｔｉｎｇ，”ＩＥＥＥ  Ｔｒａｎｓａｃｔｉｏｎｓ  ｏｎ  Ｃｏｍｍｕｎｉｃａｔｉｏｎｓ，ｖｏｌ．６３，ｎｏ．３，ｐｐ．９４９−９６１，Ｍａｒ．２０１５］は、テレグラム分割法を使用した低エネルギーテレメトリシステムの伝送信頼性の改善について説明している。
【０００６】
テレグラム分割方法は、無線チャネルを介してデータを送信するために、特定の時間／周波数ホッピングパターンを使用する。
データパケットを正常にデコードできるようにするには、送信に使用されるホッピングパターンが受信機で認識されている必要がある。
これを確実にするために、すべての参加者に知られているグローバルな時間と周波数のホッピングパターンがテレグラム分割ネットワークに定義されている。
【０００７】
同じ帯域でのテレグラム分割による複数の参加者の通信は、同じ時間および／または周波数ホッピングパターンが複数のノードによるデータ送信に使用される場合、送信の耐干渉性が低下する。
２つのノードが短い時間ウィンドウ（例えば、サブデータパケットの期間）内に同じホッピングパターンで送信を開始すると、テレグラムのすべてのサブデータパケットが重複し、最悪の場合、互いにキャンセルされる。
【先行技術文献】
【特許文献】
【０００８】
【特許文献１】独国特許第１０２０１１０８２０９８号公報
【特許文献２】国際公開第２０１５／１２８３８５号公報
【非特許文献】
【０００９】
【非特許文献１】Ｇ．Ｋｉｌｉａｎ，Ｈ．Ｐｅｔｋｏｖ，Ｒ．Ｐｓｉｕｋ，Ｈ．Ｌｉｅｓｋｅ，Ｆ．Ｂｅｅｒ，Ｊ．Ｒｏｂｅｒｔ，ａｎｄ  Ａ．Ｈｅｕｂｅｒｇｅｒ，“Ｉｍｐｒｏｖｅｄ  ｃｏｖｅｒａｇｅ  ｆｏｒ  ｌｏｗ−ｐｏｗｅｒ  ｔｅｌｅｍｅｔｒｙ  ｓｙｓｔｅｍｓ  ｕｓｉｎｇ  ｔｅｌｅｇｒａｍ  ｓｐｌｉｔｔｉｎｇ，”ｉｎ  Ｐｒｏｃｅｅｄｉｎｇｓ  ｏｆ  ２０１３  Ｅｕｒｏｐｅａｎ  Ｃｏｎｆｅｒｅｎｃｅ  ｏｎ  Ｓｍａｒｔ  Ｏｂｊｅｃｔｓ，Ｓｙｓｔｅｍｓ  ａｎｄ  Ｔｅｃｈｎｏｌｏｇｉｅｓ  （ＳｍａｒｔＳｙｓＴｅｃｈ），２０１３
【非特許文献２】Ｇ．Ｋｉｌｉａｎ，Ｍ．Ｂｒｅｉｌｉｎｇ，Ｈ．Ｈ．Ｐｅｔｋｏｖ，Ｈ．Ｌｉｅｓｋｅ，Ｆ．Ｂｅｅｒ，Ｊ．Ｒｏｂｅｒｔ，ａｎｄ  Ａ．Ｈｅｕｂｅｒｇｅｒ，“Ｉｎｃｒｅａｓｉｎｇ  Ｔｒａｎｓｍｉｓｓｉｏｎ  Ｒｅｌｉａｂｉｌｉｔｙ  ｆｏｒ  Ｔｅｌｅｍｅｔｒｙ  Ｓｙｓｔｅｍｓ  Ｕｓｉｎｇ  Ｔｅｌｅｇｒａｍ  Ｓｐｌｉｔｔｉｎｇ，”ＩＥＥＥ  Ｔｒａｎｓａｃｔｉｏｎｓ  ｏｎ  Ｃｏｍｍｕｎｉｃａｔｉｏｎｓ，ｖｏｌ．６３，ｎｏ．３，ｐｐ．９４９−９６１，Ｍａｒ．２０１５
【発明の概要】
【発明が解決しようとする課題】
【００１０】
したがって、本発明の目的は、いくつかのノードがデータ送信のために時間および／または周波数ホッピングパターンを使用する場合、送信の信頼性を高める概念を提供することである。
【課題を解決するための手段】
【００１１】
この目的は、独立した特許請求項によって解決される。
【００１２】
さらなる実装は、従属特許請求項に記載されている。
【００１３】
実施形態は、個別のホッピングパターンを含む信号を送信するように構成されたデータ送信機を提供し、個別のホッピングパターンは動作パラメータに依存する。
【００１４】
さらなる実施形態は、データ送信機から信号を受信するように構成されたデータ受信機を提供し、信号は個別のホッピングパターンを含み、個別のホッピングパターンはデータ送信機の動作パラメータに依存する。
【００１５】
実施形態において、通信システムのすべてのデータ送信機およびデータ受信機によって等しく使用される均一な（グローバル）ホッピングパターンの代わりに、データ送信機およびデータ受信機は通信のために個別のホッピングパターンを使用する。
この個別のホッピングパターンは、動作パラメータ（例えば、データ送信機の動作パラメータ、データ受信機の動作パラメータ、またはデータ送信機および／またはデータ受信機の通信システムの動作パラメータ）に依存する場合があるため、データ送信機とデータ受信機自体、またはデータ送信機および／またはデータ受信機の小さなグループによってのみ使用され、耐干渉性を大幅に向上させる可能性がある。
【００１６】
実施形態において、データ送信機および／またはデータ受信機は、例えば、入力量として動作パラメータを持つマッピングルールを使用する動作パラメータに応じて個別のホッピングパターンを計算するように構成されてもよい。
【００１７】
さらに、データ送信機および／またはデータ送受信機は、個別のホッピングパターンを取得するために、動作パラメータに応じてホッピングパターンのセット（組）からホッピングパターンを選択（または選定）するように構成されてもよい。
【００１８】
実施形態では、データ送信機の動作パラメータは、データ送信機自体の固有のパラメータであり得る。
【００１９】
例えば、データ送信機の固有のパラメータは、データ送信機のアドレス指定情報または識別情報であってもよい。
【００２０】
例えば、データ送信機の固有のパラメータは、データ送信機の水晶公差であってもよい。
この場合、例えば、データ送信機は、水晶公差に応じて、使用される周波数チャネルの周波数サブチャネルの最大範囲を決定し、ホッピングパターンを計算するか、またはそのホッピングパターンを、使用される周波数チャネルの周波数サブチャネルの最大範囲内にあるようなホッピングパターンのセットから選択するように構成される。
【００２１】
例えば、データ送信機の固有のパラメータは、データ送信機によって送信される信号、したがってデータ送信機によって使用されるホッピングパターンに適用される周波数オフセットであってもよい。
【００２２】
例えば、データ送信機の固有のパラメータは、利用可能な送信エネルギーであってもよい。
この場合、データ送信機は、利用可能な送信エネルギーに応じてホッピングパターンをパンクチャリング（puncture）して個別のホッピングパターンを取得するように構成され得る。
【００２３】
例えば、データ送信機の固有のパラメータは、個別のホッピングパターンを取得するためにデータ送信機がホッピングパターンに提供する周波数オフセットであってもよい。
周波数オフセットは、ランダムな周波数オフセットであってもよい。
さらに、データ送信機は、送信されるユーザデータまたはエラー保護データに応じて周波数オフセットを決定するように構成されてもよい。
さらに、データ送信機は、周波数オフセットを記述する情報を信号に提供するように構成されてもよい。
【００２４】
実施形態では、データ送信機の動作パラメータは、データ送信機に割り当てられたパラメータであってもよい。
【００２５】
例えば、データ送信機に割り当てられたパラメータは、通信システムの無線セルであってもよい。
ここで、個別のホッピングパターンは、例えば、無線セルの基地局または中央制御ユニットによって、データ送信機に割り当てられてもよい。
【００２６】
例えば、データ送信機に割り当てられたパラメータは、データ送信機の地理的位置であってもよい。
例えば、データ送信機自体がセンサ（例えばＧＰＳ受信機）を使用して地理的位置を決定してもよい。
【００２７】
例えば、データ送信機に割り当てられたパラメータは、ホッピングパターンのセットの各々のホッピングパターンの使用頻度であってもよい。
ここで、データ送信機は、各々の使用頻度に応じて、ホッピングパターンのセットから個別のホッピングパターンを選択するように構成されてもよい。
【００２８】
例えば、データ送信機に割り当てられたパラメータは、データ送信機またはデータ送信機によって送信されるメッセージの優先度であってもよい。
【００２９】
実施形態では、動作パラメータは、ユーザデータまたはユーザデータの一部、またはエラー保護データまたはエラー保護データの一部であってもよい。
【００３０】
実施形態では、個別のホッピングパターンは、時間および／または周波数で分散された複数のホップ（hops）を含み得る。
時間および／または周波数における複数のホップの分布は、動作パラメータに依存し得る。
【００３１】
実施形態では、データ送信機は、個別のホッピングパターンに従って時間および／または周波数で分散されたデータを送信するように構成されてもよい。
したがって、データ受信機は、個別のホッピングパターンに従って時間および／または周波数で分散された送信データを受信するように構成されてもよい。
【００３２】
実施形態において、データ送信機は、送信されるデータ（例えば、データパケット）を複数のサブデータパケットに分割し、個別のホッピングパターンに従って時間および／または周波数で配信されるサブデータパケットを送信するように構成され得る。
データ受信機は、個別のホッピングパターンに従って時間および／または周波数で分散されて送信されるサブデータパケットを受信し、データを取得するために同じものを再結合するように構成されてもよい。
【００３３】
実施形態において、データ（例えば、データパケット）は、データのエラーのない復号にすべてのサブデータパケットが必要ではなく、サブデータパケットの一部のみが必要とされるようにチャネル符号化され得る。
【００３４】
実施形態では、個別のホッピングパターンは、時間ホッピングパターン、周波数ホッピングパターン、または時間ホッピングパターンと周波数ホッピングパターンとの組み合わせであってもよい。
【００３５】
時間ホッピングパターンは、サブデータパケットが送信される送信時間または送信時間間隔のシーケンスを示してもよい。
例えば、第１のサブデータパケットは第１の送信時間（または第１の送信時間スロット）に送信され、第２のサブデータパケットは第２の送信時間（または第２の送信時間スロット）に送信され、第１の送信時間と第２の送信時間とは異なっていてもよい。
ここで、時間ホッピングパターンは、第１の送信時間および第２の送信時間を定義（または指定または指示）してもよい。
あるいは、時間ホッピングパターンは、第１の送信時間、または第１の送信時間と第２の送信時間との間の時間間隔を示してもよい。
時間ホッピングパターンは、第１の送信時間と第２の送信時間との間の時間間隔のみを示してもよいことは明らかである。
サブデータパケット間には、送信が行われない送信ポーズが存在してもよい。サブデータパケットも一時的に重複してもよい。
【００３６】
周波数ホッピングパターンは、サブデータパケットが送信される送信周波数または送信周波数ホップのシーケンスを示す場合もある。
例えば、第１のサブデータパケットは第１の送信周波数で（または第１の周波数チャネルで）送信され、第２のサブデータパケットは第２の送信周波数で（または第２の周波数チャネルで）送信され、第１の送信周波数と第２の送信周波数とは異なってもよい。
周波数ホッピングパターンは、第１の送信周波数および第２の送信周波数を定義（または指定または指示）してもよい。
あるいは、周波数ホッピングパターンは、第１の送信周波数と、第１の送信周波数と第２の送信周波数との間の周波数間隔（送信周波数ホップ）を示してもよい。
周波数ホッピングパターンは、第１の送信周波数と第２の送信周波数との間の周波数間隔（送信周波数ホップ）のみを示してもよいことは明らかである。
【００３７】
時間／周波数ホッピングパターンは、時間ホッピングパターンと周波数ホッピングパターンとの組み合わせ、つまり、サブデータパケットが送信される送信時間または送信時間間隔の組み合わせであってもよく、送信周波数（または送信周波数ホップ）は送信時間（または送信時間間隔）に割り当てられる。
【００３８】
実施形態において、個別のホッピングパターンは第１の個別のホッピングパターンであってもよく、信号は第２の個別のホッピングパターンを含んでもよく、第２の個別のホッピングパターンは第１の個別のホッピングパターンまたは動作パラメータに依存してもよい。
【００３９】
例えば、第１の個別のホッピングパターンは固定長を有してもよく、第２の個別のホッピングパターンは可変長を有してもよい。
ここで、データ送信機は、第１の個別のホッピングパターンを使用して固定長のデータを送信し、第２の個別のホッピングパターンを使用して可変長のデータを送信するように構成されてもよい。
【００４０】
データ送信機は、第１の個別のホッピングパターンまたは動作パラメータに応じて、ホッピングパターンのセット（組）から第２の個別のホッピングパターンを選択するように構成されてもよい。
【００４１】
さらに、データ送信機は、第１の個別のホッピングパターンまたは動作パラメータに応じてホッピングパターンを適合させて第２の個別のホッピングパターンを取得するように構成されてもよい。
【００４２】
さらなる実施形態は、信号を送信する方法を提供する。
この方法は、信号を送信するステップを含み、信号は個別のホッピングパターンを含み、個別のホッピングパターンは送信機側の動作パラメータに依存する。
【００４３】
さらなる実施形態は、信号を受信する方法を提供する。
この方法は、信号を受信するステップを含み、信号は個別のホッピングパターンを含み、個別のホッピングパターンは送信機側の動作パラメータに依存する。
【００４４】
さらなる実施形態は、ホッピングパターンに従ってデータを送信するように構成されるデータ送信機を提供し、データ送信機は、ホッピングパターンの複数のホップの選択されたホップでのみデータを送信するように構成され、データ送信機は、ランダムに、または動作パラメータに応じてホップを選択するように構成される。
【００４５】
さらなる実施形態は、ホッピングパターンに従ってデータを受信するように構成されたデータ受信機を提供し、データは、ホッピングパターンの複数のホップ（ｈｏｐｓ）のうちの選択されたホップでのみデータ送信機によって送信され、ホップはランダムにまたは動作パラメータに応じて選択される。
【００４６】
さらなる実施形態は、信号を送信する方法を提供する。
この方法は、ホッピングパターンの複数のホップのうちのホップのサブセットを選択するステップを含み、ホップのサブセットは、ランダムにまたは動作パラメータに応じて複数のホップから選択される。
さらに、この方法は、ホッピングパターンの選択されたホップでデータを送信するステップを含む。
【００４７】
さらなる実施形態は、信号を受信する方法を提供する。
この方法は、データを受信するステップを含み、データは、ホッピングパターンの複数のホップのうちの選択されたホップでのみ送信され、ホップは、ランダムにまたは動作パラメータに応じて選択される。
【００４８】
さらなる実施形態は、実施形態に従ってホッピングパターンを生成する方法を提供する。
この方法は、複数のホッピングパターンをランダムに生成するステップを含み、ホッピングパターンは、周波数と時間とに分布する少なくとも２つのホップを含む。
この方法は、複数のホッピングパターンから、指定された自己相関特性を有するホッピングパターンを得るために、その自己相関関数が指定された自己相関特性を含むホッピングパターンを選択するステップをさらに含む。
【００４９】
実施形態では、自己相関関数側の最大値が指定された最大振幅閾値を超えないホッピングパターンが、指定された自己相関特性を満たし得る。
【００５０】
例えば、振幅閾値は、繰り返されるホッピングパターンのサブホッピングパターンを形成し、時間および／または周波数でシフトされるホップ数に等しくてもよい。
【００５１】
実施形態では、各々の自己相関関数の指定された数の最大振幅値にわたって形成される小計が指定された閾値よりも小さいホッピングパターンが、指定された自己相関特性を満たし得る。
【００５２】
ここで、少なくとも２つのホッピングパターン（または指定された数のホッピングパターン）が指定された自己相関特性を満たすように、閾値が選択されてもよい。
【００５３】
閾値は、境界パラメータ、例えば多数のサブデータパケット（部分パケット）または周波数ホップに応じて導出され得る。
【００５４】
閾値は、固定するように選択されてもよい。
【００５５】
実施形態では、この方法は、指定された自己相関特性を有するホッピングパターン間の相互相関関数を計算するステップをさらに含んでもよい。
【００５６】
さらに、この方法は、指定された自己相関特性および指定された相互相関特性を有するホッピングパターンを得るために、指定された自己相関特性を有するホッピングパターンから、その相互相関関数が指定された相互相関特性を含むホッピングパターンを選択するステップを含んでもよい。
【００５７】
実施形態において、各々の相互相関関数の指定された数の最大振幅値にわたって形成される小計が最小であるホッピングパターンが、指定された相互相関特性を満たし得る。
【００５８】
実施形態では、ホッピングパターンは、各々のホッピングパターンのホップが指定（特定）された周波数帯域内にあるように生成されてもよい。
【００５９】
実施形態では、方法は、複数のさらなるホッピングパターンをランダムに生成するステップをさらに含んでもよく、さらなるホッピングパターンは、周波数および時間で分布する少なくとも２つのホップを含む。
この方法は、複数のさらなるホッピングパターンから、指定された自己相関特性を有するさらなるホッピングパターンを得るために、その自己相関関数が指定された自己相関特性を含むさらなるホッピングパターンを選択するステップをさらに含んでもよい。
ここで、複数のさらなるホッピングパターンは、各々のさらなるホッピングパターンのホップが指定されたさらなる周波数帯域内にあり、指定された周波数帯域と指定されたさらなる周波数帯域とが少なくとも部分的に重複するように生成されてもよい。
【００６０】
ここで、自己相関関数側の最大値が指定された最大振幅閾値を超えないホッピングパターンは、指定された自己相関特性を満たし得る。
例えば、振幅閾値は、ホッピングパターンが細分化される複数のクラスタにおけるクラスタのホップ数に等しくてもよい。
例えば、クラスタは、互いに同じ時間間隔および／または周波数間隔を含む多数のホップであってもよい。
【００６１】
さらに、各々の自己相関関数の指定された数の最大振幅値にわたって形成される小計が指定された閾値よりも小さいホッピングパターンは、指定された自己相関特性を満たし得る。
ここで、少なくとも２つのホッピングパターン（または指定された数のホッピングパターン）が指定された自己相関特性を満たすように、閾値が選択されてもよい。
【００６２】
実施形態において、相互相関関数は、指定された自己相関特性を有するホッピングパターンと指定された自己相関特性を有するさらなるホッピングパターンとの間で計算されてもよく、相互相関関数が指定された相互相関特性を含むホッピングパターンは、指定された自己相関特性と、指定された自己相関特性を持つ追加のホッピングパターンを持つホッピングパターンから選択される。
【００６３】
ここで、各々の相互相関関数の指定された数の最大振幅値にわたって形成された小計が最小であるホッピングパターンは、指定された相互相関特性を満たし得る。
【００６４】
さらなる実施形態は、複数のホッピングパターンをランダムに生成するステップを含み、ホッピングパターンが周波数および時間で分布する少なくとも２つのホップを含む、ホッピングパターンのセットを生成する方法を提供する。
この方法は、複数のホッピングパターンを各々２次元の時間および周波数占有行列にマッピングし、随意により、２次元の計算で隣接する周波数位置の可能性のある影響（隣接チャネル干渉）を考慮するステップをさらに含む自己相関関数（２Ｄ−ＡＣＦ）が適用される。
さらに、この方法は、（例えば、かなり大きい）複数のホッピングパターンから、２Ｄ自己相関関数が指定された自己相関特性を含む（例えば、有限だがより大きい）数のホッピングパターンを選択するステップを含み、指定された自己相関特性を有するホッピングパターンを取得し、２Ｄ−ＡＣＦのすべての振幅値が、例えばベクトルの昇順で並べ替えられて保存され、続いて最大振幅値にわたって小計が形成され、閾値と比較され、より小さい場合はそれに応じて選択される。
【００６５】
例えば、すべての振幅値が加算されると、合計は常に同じになるため、小計が形成される場合がある。
実施形態では、ＡＣＦ／ＣＣＦが可能な限り小さい最大値を含むが、いくつかの小さな値（より良いぼかし）を含むホッピングパターンのみが選択されるべきである。
したがって、ソートが実行され、最大のものが取得される。
ホッピングパターンの数は可変であってもよい。
【００６６】
実施形態では、方法は、周波数サブチャネルの最大範囲が変更された（例えば、非常に大きい）複数のホッピングパターンから新しい（例えば、有限の）ホッピングパターンを生成するために、水晶公差（ｑｕａｒｔｚ  ｔｏｌｅｒａｎｃｅ）などのデータ送信機の異なる固有のパラメータを使用している方法を繰り返すステップをさらに含んでもよい。
【００６７】
実施形態では、方法は、選択されたホッピングパターンと新たに選択されたホッピングパターン（方法の繰り返しから）との間のすべての２次元相互相関関数（２Ｄ−ＣＣＦ）を計算するステップをさらに含み、各々が指定された自己相関特性を有する２Ｄ−ＣＣＦのすべての振幅値の昇順での繰り返しベクトルソートに関する各個々の２Ｄ−ＣＣＦの後続の評価、および複数の最大振幅値にわたる後続の小計形成、および結果行列内の後続の保存を含む。
【００６８】
実施形態では、指定された２次元自己相関特性および前述の相互相関特性を有する以前に計算された２次元相互相関関数を有するホッピングパターンから（例えばモンテカルロ法を介して）ホッピングパターンを選択するステップは、すべてが実行されるように実行されてもよく、ホッピングパターンのセットの選択に属する２Ｄ−ＣＣＦは、結果行列の対応する小計に追加され、合計が最小であるホッピングパターンのセットが選択される。
【００６９】
例えば、それらはすべて合計され、それが最小になる。
したがって、多くの優れたＣＣＦ値に加えて、あまり優れていないＣＣＦ値も含まれる場合がある。
１６個のホッピングパターンでは、６４個すべてのＣＣＦが同等に優れているわけではない。
【００７０】
さらなる実施形態は、ホッピングパターンを有する信号を送信する方法を提供し、ホッピングパターンは、時間ホッピングパターン、周波数ホッピングパターン、または時間ホッピングパターンと周波数ホッピングパターンとの組み合わせであり、時間ホッピングパターンは、各々２４のホップを有する次の８つの時間ホッピングパターンのいずれかであり：
【００７１】
【表１】
2020517174.tif 000003
【００７２】
表の各行は時間ホッピングパターンであり、表の各列は第２のホップから始まる各々の時間ホッピングパターンのホップであるため、各時間ホッピングパターンは２４のホップを含み、表の各セルは各々のホップの基準点（例えば中間または開始または終了）から、次のホップの同じ基準点（例えば中間または開始または終了）までの送信シンボルの持続時間（できれば倍数）における時間間隔を示し、周波数ホッピングパターンは、各々２４のホップを有する次の８つの周波数ホッピングパターンのいずれかであり：
【００７３】
【表２】
2020517174.tif 000004
【００７４】
表の各行は周波数ホッピングパターンであり、表の各列は各々の周波数ホッピングパターンのホップであり、表の各セルはＵＣＧ＿Ｃ０からＵＣＧ＿Ｃ２３までのキャリアの各々の周波数ホッピングパターンの各々のホップの送信周波数を示す。
【００７５】
実施形態では、信号は、±２０ｐｐｍ以上の水晶公差を含むノードによって送信されてもよい。
【００７６】
実施形態では、データパケットがホッピングパターンに従って複数のサブデータパケットに分割されて送信され、複数のサブデータパケットのサブデータパケットがホッピングパターンの各ホップで送信され得る。
【００７７】
実施形態では、ホッピングパターンは、時間ホッピングパターンと周波数ホッピングパターンとの組み合わせであってもよく、時間ホッピングパターンと周波数ホッピングパターンは、各々の表において同じ行番号を含む。
例えば、ホッピングパターンは、第１の時間ホッピングパターンと第１の周波数ホッピングパターンとの組み合わせであってもよい。
ホッピングパターンは、第２の時間ホッピングパターンと第２の周波数ホッピングパターンなどの組み合わせであってもよいことは明らかである。
【００７８】
さらなる実施形態は、ホッピングパターンを有する信号を送信する方法を提供し、ホッピングパターンは、時間ホッピングパターン、周波数ホッピングパターン、または時間ホッピングパターンと周波数ホッピングパターンとの組み合わせであり、時間ホッピングパターンは、各々２４のホップを有する次の８つの時間ホッピングパターンのいずれかであり：
【００７９】
【表３】
2020517174.tif 000005
【００８０】
表の各行は時間ホッピングパターンであり、表の各列は第２のホップから始まる各々の時間ホッピングパターンのホップであるため、各時間ホッピングパターンは２４のホップを含み、表の各セルは各々のホップの基準点（例えば中間または開始または終了）から、次のホップの同じ基準点（例えば中間または開始または終了）までの送信シンボルの持続時間（できれば倍数）における時間間隔を示し、周波数ホッピングパターンは、各々２４のホップを有する次の８つの周波数ホッピングパターンのいずれかであり：
【００８１】
【表４】
2020517174.tif 000006
【００８２】
表の各行は周波数ホッピングパターンであり、表の各列は各々の周波数ホッピングパターンのホップであり、表の各セルはＵＣＧ＿Ｃ０からＵＣＧ＿Ｃ２９までのキャリアの各々の周波数ホッピングパターンの各々のホップの送信周波数を示す。
【００８３】
実施形態では、信号は、±１０ｐｐｍ以上の水晶公差を含むノードによって送信されてもよい。
【００８４】
実施形態では、データパケットがホッピングパターンに従って複数のサブデータパケットに分割されて送信され、複数のサブデータパケットのサブデータパケットがホッピングパターンの各ホップで送信され得る。
【００８５】
実施形態では、ホッピングパターンは、時間ホッピングパターンと周波数ホッピングパターンとの組み合わせであってもよく、時間ホッピングパターンと周波数ホッピングパターンは、各々の表において同じ行番号を含む。
例えば、ホッピングパターンは、第１の時間ホッピングパターンと第１の周波数ホッピングパターンとの組み合わせであってもよい。
ホッピングパターンは、第２の時間ホッピングパターンと第２の周波数ホッピングパターンなどの組み合わせであってもよいことは明らかである。
【００８６】
さらなる実施形態は、ホッピングパターンを有する信号を受信する方法を提供し、ホッピングパターンは、時間ホッピングパターン、周波数ホッピングパターン、または時間ホッピングパターンと周波数ホッピングパターンとの組み合わせであり、時間ホッピングパターンは、各々２４のホップを有する次の８つの時間ホッピングパターンのいずれかであり：
【００８７】
【表５】
2020517174.tif 000007
【００８８】
表の各行は時間ホッピングパターンであり、表の各列は第２のホップから始まる各々の時間ホッピングパターンのホップであるため、各時間ホッピングパターンは２４のホップを含み、表の各セルは各々のホップの基準点（例えば中間または開始または終了）から、次のホップの同じ基準点（例えば中間または開始または終了）までの受信シンボルの持続時間（できれば倍数）における時間間隔を示し、周波数ホッピングパターンは、各々２４のホップを有する次の８つの周波数ホッピングパターンのいずれかであり：
【００８９】
【表６】
2020517174.tif 000008
【００９０】
表の各行は周波数ホッピングパターンであり、表の各列は各々の周波数ホッピングパターンのホップであり、表の各セルはＵＣＧ＿Ｃ０からＵＣＧ＿Ｃ２３までのキャリアの各々の周波数ホッピングパターンの各々のホップの送信周波数を示す。
【００９１】
さらなる実施形態は、ホッピングパターンを有する信号を受信する方法を提供し、ホッピングパターンは、時間ホッピングパターン、周波数ホッピングパターン、または時間ホッピングパターンと周波数ホッピングパターンとの組み合わせであり、時間ホッピングパターンは、各々２４のホップを有する次の８つの時間ホッピングパターンのいずれかであり：
【００９２】
【表７】
2020517174.tif 000009
【００９３】
表の各行は時間ホッピングパターンであり、表の各列は第２のホップから始まる各々の時間ホッピングパターンのホップであるため、各時間ホッピングパターンは２４のホップを含み、表の各セルは各々のホップの基準点（例えば中間または開始または終了）から、次のホップの同じ基準点（例えば中間または開始または終了）までの受信シンボルの持続時間（できれば倍数）における時間間隔を示し、周波数ホッピングパターンは、各々２４のホップを有する次の８つの周波数ホッピングパターンのいずれかであり：
【００９４】
【表８】
2020517174.tif 000010
【００９５】
表の各行は周波数ホッピングパターンであり、表の各列は各々の周波数ホッピングパターンのホップであり、表の各セルはＵＣＧ＿Ｃ０からＵＣＧ＿Ｃ２９までのキャリアの各々の周波数ホッピングパターンの各々のホップの送信周波数を示す。
【００９６】
さらなる実施形態は、ホッピングパターンを有する信号を送信する方法を提供し、ホッピングパターンは、時間ホッピングパターン、周波数ホッピングパターン、または時間ホッピングパターンと周波数ホッピングパターンとの組み合わせであり、時間ホッピングパターンは、各々１８のホップを有する次の８つの時間ホッピングパターンのいずれかであり：
【００９７】
【表９】
2020517174.tif 000011
【００９８】
表の各行は時間ホッピングパターンであり、表の各列は第２のホップから始まる各々の時間ホッピングパターンのホップであるため、各時間ホッピングパターンは１８のホップを含み、表の各セルは各々のホップの基準点（例えば中間または開始または終了）から、次のホップの同じ基準点（例えば中間または開始または終了）までの送信シンボルの持続時間（できれば倍数）における時間間隔を示し、周波数ホッピングパターンは、各々１８のホップを有する次の８つの周波数ホッピングパターンのいずれかであり：
【００９９】
【表１０】
2020517174.tif 000012
【０１００】
表の各行は周波数ホッピングパターンであり、表の各列は各々の周波数ホッピングパターンのホップであり、表の各セルはＵＣＧ＿Ｃ０からＵＣＧ＿Ｃ２３までのキャリアの各々の周波数ホッピングパターンの各々のホップの送信周波数を示す。
【０１０１】
実施形態では、信号は、±２０ｐｐｍ以上の水晶公差を含むノードによって送信されてもよい。
【０１０２】
実施形態では、データパケットがホッピングパターンに従って複数のサブデータパケットに分割されて送信され、複数のサブデータパケットのサブデータパケットがホッピングパターンの各ホップで送信され得る。
【０１０３】
実施形態では、ホッピングパターンは、時間ホッピングパターンと周波数ホッピングパターンとの組み合わせであってもよく、時間ホッピングパターンと周波数ホッピングパターンは、各々の表において同じ行番号を含む。
例えば、ホッピングパターンは、第１の時間ホッピングパターンと第１の周波数ホッピングパターンとの組み合わせであってもよい。
ホッピングパターンは、第２の時間ホッピングパターンと第２の周波数ホッピングパターンなどの組み合わせであってもよいことは明らかである。
【０１０４】
さらなる実施形態は、ホッピングパターンを有する信号を送信する方法を提供し、ホッピングパターンは、時間ホッピングパターン、周波数ホッピングパターン、または時間ホッピングパターンと周波数ホッピングパターンとの組み合わせであり、時間ホッピングパターンは、各々１８のホップを有する次の８つの時間ホッピングパターンのいずれかであり：
【０１０５】
【表１１】
2020517174.tif 000013
【０１０６】
表の各行は時間ホッピングパターンであり、表の各列は第２のホップから始まる各々の時間ホッピングパターンのホップであるため、各時間ホッピングパターンは１８のホップを含み、表の各セルは各々のホップの基準点（例えば中間または開始または終了）から、次のホップの同じ基準点（例えば中間または開始または終了）までの送信シンボルの持続時間（できれば倍数）における時間間隔を示し、周波数ホッピングパターンは、各々１８のホップを有する次の８つの周波数ホッピングパターンのいずれかであり：
【０１０７】
【表１２】
2020517174.tif 000014
【０１０８】
表の各行は周波数ホッピングパターンであり、表の各列は各々の周波数ホッピングパターンのホップであり、表の各セルはＵＣＧ＿Ｃ０からＵＣＧ＿Ｃ２９までのキャリアの各々の周波数ホッピングパターンの各々のホップの送信周波数を示す。
【０１０９】
実施形態では、信号は、±１０ｐｐｍ以上の水晶公差を含むノードによって送信されてもよい。
【０１１０】
実施形態では、データパケットがホッピングパターンに従って複数のサブデータパケットに分割されて送信され、複数のサブデータパケットのサブデータパケットがホッピングパターンの各ホップで送信され得る。
【０１１１】
実施形態では、ホッピングパターンは、時間ホッピングパターンと周波数ホッピングパターンとの組み合わせであってもよく、時間ホッピングパターンと周波数ホッピングパターンは、各々の表において同じ行番号を含む。
例えば、ホッピングパターンは、第１の時間ホッピングパターンと第１の周波数ホッピングパターンとの組み合わせであってもよい。
ホッピングパターンは、第２の時間ホッピングパターンと第２の周波数ホッピングパターンなどの組み合わせであってもよいことは明らかである。
【０１１２】
さらなる実施形態は、ホッピングパターンを有する信号を受信する方法を提供し、ホッピングパターンは、時間ホッピングパターン、周波数ホッピングパターン、または時間ホッピングパターンと周波数ホッピングパターンとの組み合わせであり、時間ホッピングパターンは、各々１８のホップを有する次の８つの時間ホッピングパターンのいずれかであり：
【０１１３】
【表１３】
2020517174.tif 000015
【０１１４】
表の各行は時間ホッピングパターンであり、表の各列は第２のホップから始まる各々の時間ホッピングパターンのホップであるため、各時間ホッピングパターンは１８のホップを含み、表の各セルは各々のホップの基準点（例えば中間または開始または終了）から、次のホップの同じ基準点（例えば中間または開始または終了）までの受信シンボルの持続時間（できれば倍数）における時間間隔を示し、周波数ホッピングパターンは、各々１８のホップを有する次の８つの周波数ホッピングパターンのいずれかであり：
【０１１５】
【表１４】
2020517174.tif 000016
【０１１６】
表の各行は周波数ホッピングパターンであり、表の各列は各々の周波数ホッピングパターンのホップであり、表の各セルはＵＣＧ＿Ｃ０からＵＣＧ＿Ｃ２３までのキャリアの各々の周波数ホッピングパターンの各々のホップの送信周波数を示す。
【０１１７】
さらなる実施形態は、ホッピングパターンを有する信号を受信する方法を提供し、ホッピングパターンは、時間ホッピングパターン、周波数ホッピングパターン、または時間ホッピングパターンと周波数ホッピングパターンとの組み合わせであり、時間ホッピングパターンは、各々１８のホップを有する次の８つの時間ホッピングパターンのいずれかであり：
【０１１８】
【表１５】
2020517174.tif 000017
【０１１９】
表の各行は時間ホッピングパターンであり、表の各列は第２のホップから始まる各々の時間ホッピングパターンのホップであるため、各時間ホッピングパターンは１８のホップを含み、表の各セルは各々のホップの基準点（例えば中間または開始または終了）から、次のホップの同じ基準点（例えば中間または開始または終了）までの受信シンボルの持続時間（できれば倍数）における時間間隔を示し、周波数ホッピングパターンは、各々１８のホップを有する次の８つの周波数ホッピングパターンのいずれかであり：
【０１２０】
【表１６】
2020517174.tif 000018
【０１２１】
表の各行は周波数ホッピングパターンであり、表の各列は各々の周波数ホッピングパターンのホップであり、表の各セルはＵＣＧ＿Ｃ０からＵＣＧ＿Ｃ２９までのキャリアの各々の周波数ホッピングパターンの各々のホップの送信周波数を示す。
【０１２２】
本発明の実施形態は、添付の図面を参照してより詳細に説明される。
【図面の簡単な説明】
【０１２３】
【図１】本発明の一実施形態によるデータ送信機およびデータ受信機を有するシステムの概略ブロック回路図を示す。
【図２】時間／周波数ホッピングパターンによる複数のサブデータパケットの送信における送信チャネルの占有状態を図で示す。
【図３】帯域エッジによって定義される通信システムの周波数帯域、ならびに送信のためにデータ送信機によって使用される周波数Ａ、およびデータの送信が行われる周波数Ａの周りの許容範囲を図で示しており、トランスミッタは、その水晶公差のために実際に行われる。
【図４】帯域エッジによって定義される通信システムの周波数帯域、ならびに広いホッピングパターンによって使用される周波数範囲およびその許容範囲、ならびに狭いホッピングパターンによって使用される周波数範囲ならびにその許容範囲を示す図である。
【図５】帯域エッジによって定義される通信システムの周波数帯域と、図４に示される狭いホッピングパターンを使用する小さい許容範囲を有するデータ送信機から生じる周波数帯域の未使用周波数範囲を示す図である。
【図６】一実施形態による信号を送信する方法のフロー図を示す。
【図７】一実施形態による信号を受信する方法のフロー図を示す。
【図８】一実施形態による信号を送信する方法のフロー図を示す。
【図９】一実施形態による信号を受信する方法のフロー図を示す。
【図１０】一実施形態によるホッピングパターンを生成する方法のフロー図を示す。
【図１１】ＴＳＭＡホッピングパターンを有するフレームの構造の図を示す。
【図１２】ＴＳＭＡホッピングパターンの構造の概略図を図で示す。
【図１３ａ】周波数および時間にわたってプロットされた、指定された自己相関特性を含むホッピングパターンの自己相関関数のメインおよびサイド最大値を図で示す。
【図１３ｂ】周波数および時間にわたってプロットされた、指定された自己相関特性を含まないホッピングパターンの自己相関関数のメインおよびサイド最大値を図で示す。
【図１４ａ】周波数および時間にわたってプロットされた、指定された相互相関特性を含む２つのホッピングパターンの相互相関関数のメインおよびサイド最大値を図で示す。
【図１４ｂ】指定された相互相関特性を含まない２つのホッピングパターンの相互相関関数のメインおよびサイド最大値を周波数および時間にわたってプロットした図を示す。
【図１５】一実施形態によるホッピングパターンを生成する方法２６０のフロー図を示す。
【発明を実施するための形態】
【０１２４】
本発明の実施形態の以下の説明において、同じ要素または同じ効果を有する要素は、それらの説明が交換可能であるように、同じ参照番号を備えた図で提供される。
【０１２５】
＜１．個別のホッピングパターン＞
図１は、本発明の実施形態によるデータ送信機１００およびデータ受信機１１０を有するシステムの概略ブロック回路図を示す。
【０１２６】
データ送信機１００は、信号１２０を送信するように構成され、信号は個別のホッピングパターンを含み、個別のホッピングパターンは動作パラメータに依存する。
【０１２７】
データ受信機１１０は、データ送信機１００から信号１２０を受信するように構成され、信号１２０は個別のホッピングパターンを含み、個別のホッピングパターンは動作パラメータに依存する。
【０１２８】
実施形態では、通信システムのすべてのデータ送信機およびデータ受信機によって等しく使用される均一な（グローバル）ホッピングパターンの代わりに、データ送信機１００およびデータ受信機１１０は、通信に個別のホッピングパターン１４０を使用する。
この個別のホッピングパターンは、動作パラメータ（例えば、データ送信機１００、データ受信機１１０、または通信システムの動作パラメータ）に依存するため、データ送信機１００およびデータ受信機１１０自体によって、またはデータ送信機および／またはデータ受信機の小さなグループによってのみ使用され、耐干渉性を大幅に高める可能性がある。
【０１２９】
例えば、データ送信機１００および／またはデータ受信機１１０は、例えば入力量として動作パラメータを有するマッピングルールを使用して、動作パラメータに応じて個別のホッピングパターン１４０を計算するように構成してもよい。
さらに、データ送信機１００および／またはデータ受信機１１０は、個別のホッピングパターン１４０を取得するために、動作パラメータに応じてホッピングパターンのセット（組）からホッピングパターンを選択（または選定）するように構成してもよい。
【０１３０】
図１に示されるように、個別のホッピングパターン１４０は、時間および／または周波数で分散された複数のホップ１４２を備えてもよい。
時間および／または周波数における複数のホップ１４２の分布は、動作パラメータに依存し得る。
【０１３１】
実施形態では、データ送信機１００は、個別のホッピングパターン１４０に従って時間および／または周波数で分散されたデータ１２０を送信するように構成されてもよい。
したがって、データ受信機１１０は、個別のホッピングパターン１４０に従って時間および／または周波数で分散されたデータ１２０を受信するように構成されてもよい。
【０１３２】
図１に例示的に示されるように、データ送信機１００は、データ１２０を送信するように構成された送信ユニット（または送信モジュール、または送信機）１０２を備えることができる。
送信ユニット１０２は、データ送信機１００のアンテナ１０４に接続されてもよい。データ送信機１００は、データを受信するように構成された受信ユニット（または受信モジュール、または受信機）１０６をさらに備えることができる。
受信ユニット１０６は、アンテナ１０４またはデータ送信機１００のさらなる（別個の）アンテナに接続されてもよい。
データ送信機１００はまた、組み合わされた送信／受信ユニット（トランシーバ）を備えてもよい。
【０１３３】
データ受信機１１０は、データ１２０を受信するように構成された受信ユニット（または受信モジュール、または受信機）１１６を備えることができる。
受信ユニット１１６は、データ受信機１１０のアンテナ１１４に接続されてもよい。
さらに、データ受信機１１０は、データを送信するように構成された送信ユニット（または送信モジュールまたは送信機）１１２を備えてもよい。
送信ユニット１１２は、アンテナ１１４またはデータ受信機１１０のさらなる（別個の）アンテナに接続され得る。
データ受信機１１０はまた、組み合わされた送信／受信ユニット（トランシーバ）を備えてもよい。
【０１３４】
実施形態では、データ送信機１００はセンサノードであってもよく、データ受信機１１０は基地局であってもよい。
典型的には、通信システムは、少なくとも１つのデータ受信機１１０（基地局）と多数のデータ送信機（加熱計などのセンサノード）を含む。
データ送信機１００が基地局であり、データ受信機１１０がセンサノードであることも可能であることは明らかである。
さらに、データ送信機１００とデータ受信機１１０の両方がセンサノードであってもよい。
加えて、データ送信機１００とデータ受信機１１０の両方が基地局であってもよい。
【０１３５】
データ送信機１００およびデータ受信機１１０は、テレグラム分割方法を使用して、各々データ１２０を送信および受信するように随意により構成されてもよい。
ここで、テレグラムまたはデータパケット１２０は、複数のサブデータパケット（または部分データパケットまたは部分パケット）１４２に分割され、サブデータパケット１４２は、データ送信機１００からデータ受信機１１０に送信される個別のホッピングパターン１４０に従って時間および／または周波数で分配され、データ受信機１１０は、データパケット１２０を取得するためにサブデータパケットを再結合（または結合）する。
ここで、各々のサブデータパケット１４２は、データパケット１２０の一部のみを含む。
さらに、データパケット１２０は、データパケット１２０のエラーのない復号にすべてのサブデータパケット１４２が必要とされるのではなく、サブデータパケット１４２の一部のみが必要とされるようにチャネル符号化され得る。
【０１３６】
上述したように、複数のサブデータパケット１４２の時間的分布は、時間ホッピングパターンおよび／または周波数ホッピングパターンに従って実行されてもよい。
【０１３７】
時間ホッピングパターンは、サブデータパケットが送信される送信時間または送信時間間隔のシーケンスを示してもよい。
例えば、第１のサブデータパケットは第１の送信時間（または第１の送信時間スロット）に送信され、第２のサブデータパケットは第２の送信時間（または第２の送信時間スロット）に送信され、第１の送信時間と第２の送信時間とは異なっていてもよい。
ここで、時間ホッピングパターンは、第１の送信時間および第２の送信時間を定義（または指定または指示）してもよい。
あるいは、時間ホッピングパターンは、第１の送信時間、または第１の送信時間と第２の送信時間との間の時間間隔を示してもよい。
時間ホッピングパターンは、第１の送信時間と第２の送信時間との間の時間間隔のみを示してもよいことは明らかである。
サブデータパケット間には、送信が行われない送信ポーズが存在してもよい。サブデータパケットも一時的に重複してもよい。
【０１３８】
周波数ホッピングパターンは、サブデータパケットが送信される送信周波数または送信周波数ホップのシーケンスを示してもよい。
例えば、第１のサブデータパケットは第１の送信周波数で（または第１の周波数チャネルで）送信され、第２のサブデータパケットは第２の送信周波数で（または第２の周波数チャネルで）送信され、第１の送信周波数と第２の送信周波数とは異なってもよい。
周波数ホッピングパターンは、第１の送信周波数および第２の送信周波数を定義（または指定または指示）してもよい。
あるいは、周波数ホッピングパターンは、第１の送信周波数と、第１の送信周波数と第２の送信周波数との間の周波数間隔（送信周波数ホップ）を示してもよい。
周波数ホッピングパターンは、第１の送信周波数と第２の送信周波数との間の周波数間隔（送信周波数ホップ）のみを示してもよいことは明らかである。
【０１３９】
複数のサブデータパケット１４２は、時間と周波数の両方で分散されてデータ送信機１００からデータ受信機１１０に送信されてもよいことは明らかである。
時間および周波数における複数のサブデータパケットの分配は、時間／周波数ホッピングパターンに従って実行され得る。
時間／周波数ホッピングパターンは、時間ホッピングパターンと周波数ホッピングパターンとの組み合わせ、すなわち、サブデータパケットが送信される送信時間または送信時間間隔のシーケンスであり、送信周波数（または送信周波数ホップ）は送信時間（または送信時間間隔）に割り当てられる。
【０１４０】
図２は、時間／周波数ホッピングパターンによる複数のサブデータパケット１４２の送信中の送信チャネルの占有状態を図で示す。ここで、縦軸は周波数を表し、横軸は時間を表す。
【０１４１】
図２に見られるように、データパケット１２０は、例示的に、ｎ＝７個のサブデータパケット１４２に分割され、時間／周波数ホッピングパターンに応じて時間と周波数とに分散されてデータ送信機１００からデータ受信機１１０に送信される。
【０１４２】
図２でさらにわかるように、同期シーケンス１４４は、データ（図２のデータシンボル）１４６に加えて、複数のサブデータパケット１４２が各々同期シーケンス（図２の同期シンボル）１４４の一部を含むように、複数のサブデータパケット１４２の間で分割することもできる。
【０１４３】
以下では、データ送信機１００およびデータ受信機１１０の詳細な実施形態がより詳細に説明され、送信のために個別のホッピングパターンを使用し、個別のホッピングパターンは動作パラメータに依存する。ここでは、テレグラム分割方法の使用は純粋にオプションである。
【０１４４】
さらに、以下は、動作パラメータがデータ送信機１００または通信システムのパラメータであると仮定する。ここで、動作パラメータは、データ送信機の固有の動作パラメータまたはデータ送信機に割り当てられた動作パラメータであってもよい。
【０１４５】
＜１．１  さまざまなホッピングパターン＞
前述のように、実施形態では、固定のホッピングパターンの代わりに、個別のホッピングパターン１４０をデータ送信機１００とデータ受信機１１０との間の送信に使用することができる。
【０１４６】
これにより、以下の問題が解決され得る。同じ帯域でのテレグラム分割による複数の参加者の通信では、同じ時間／周波数ホッピングパターンが複数のノードでデータ送信に使用されると、転送の耐干渉性が低下する。
２つのノードが短い時間枠内で同じホッピングパターンで送信を開始すると、テレグラムのすべてのサブパケットが重複し、最悪の場合、互いにキャンセルされる。
【０１４７】
割り当てには、ネットワークトポロジに応じてホッピングパターンを変更するさまざまな可能性がある。
【０１４８】
実施形態において、個別のホッピングパターン１４０は、データ送信機１００の（固有の）動作パラメータに依存し得、データ送信機の（固有の）動作パラメータは、データ送信機１００のアドレス指定情報または識別情報であり得る。
【０１４９】
例えば、アドレス指定ホッピングパターンを使用できる。既知の参加者への送信では、定義済みのホッピングパターンの代わりに、ターゲット参加者を識別するまたはアドレス指定する値、例えばシリアル番号またはネットワークアドレスから計算されたホッピングパターンを使用できる。
【０１５０】
これは、ホッピングパターン１４０が各データ送信機１００（またはユーザ）に対して個別であり、同一のホッピングパターンの衝突の可能性が劇的に低減され得るという利点を有する。
【０１５１】
しかしながら、データ受信機（例えば、基地局）１１０によって連続的に探索され得るホッピングパターンの数は、計算性能のために制限される。個々のホッピングシーケンスが各データ送信機（ノードなど）１００に対して定義されている場合、同時に受信できるノードの数はそれに応じて少なくなる。
【０１５２】
実施形態において、データ送信機側（または波形側）では、２人の参加者間の送信ごとに、受信機または送信機を識別するデータ、シリアル番号またはネットワークアドレスなどのアドレス指定情報または識別情報から導出され得る個別のホッピングパターン１００を使用できる。
【０１５３】
実施形態では、データ受信機側で、送信機を識別する時間／周波数ホッピングパターンを使用する場合、受信するデータ送信機のホッピングパターンまたは識別されたデータを含む時間／周波数ホッピングパターンリストを保存することができる。
【０１５４】
＜１．２  ローカルホッピングパターン＞
実施形態において、個別のホッピングパターンは、データ送信機１００の（割り当てられた）動作パラメータに依存し得、データ送信機１００の（割り当てられた）動作パラメータは無線セルであり得る。
【０１５５】
これにより、以下の問題が解決され得る。複数の中央ノード（例えば、１つの基地局と通信する多数のノード）で構成される無線ベースのネットワークが作成される場合、各中央ノードの周囲に無線セルが形成される。
無線セルの送信が従来の多重化方法（周波数多重化など）および対応するネットワーク計画によって分離されていない場合、セルの通信はすべての重複または隣接する無線セルの通信にも干渉する。
この問題は、すべての参加者（データ送信機など）が中央ノード（データ受信機など）との通信にグローバルな時間／周波数ホッピングパターンを使用するため、テレグラム分割ベースのネットワークでも発生する。
【０１５６】
実施形態において、各中央参加者（例えば、データ受信機１１０）は、ローカル時間／周波数ホッピングパターンのそれ自体のセットを含むことができ、これにより、ネットワークの無線セルを重複して動作させることが可能になる。これらは、グローバルホッピングパターンを補完するか、同じものを完全に置き換える。
【０１５７】
サインイン中に割り当てを実行してもよい。多くのノードが１つの基地局と通信する星型ネットワークでは、初期通信はグローバルホッピングパターンを介して処理される。現在、ノードが基地局に割り当てられているか、同じ場所でサインインしている場合、どのローカルホッピングパターンのセットが使用されているかについて端末ノードに通知する。
【０１５８】
どのセットが使用されているかに関する通知は、セットの時間／周波数ホッピングパターンの送信によって明示的に実行される。また、ノードで１つまたは複数のローカルホッピングパターンのセットを定義し、最初のコンタクト中に使用されるセットをネゴシエート（交渉、折衝）することもできる。
【０１５９】
実施形態では、個別のホッピングパターン１４０は、データ送信機１００の（割り当てられた）動作パラメータに依存し得、データ送信機１００の（割り当てられた）動作パラメータは地理的位置であり得る。
【０１６０】
例えば、地域のホッピングパターンを使用できる。ノードが自分の位置を知っている場合（例えば、ＧＮＳＳを使用）、ノードはこの情報を使用して、使用できるローカルホッピングパターンのセットを決定できる。
繰り返すが、これは以前に保存されたセットによって、または位置からの計算によって行われ得る。
ホッピングパターンセットの選択は、外部システムの無線信号など、他の外部の影響によって決定される場合もある。位置は、基地局によって通知されてもよい。
【０１６１】
＜１．３  ＱｏＳホッピングパターン（ＱｏＳ＝Ｑｕａｌｉｔｙ  ｏｆ  Ｓｅｒｖｉｃｅ）＞
実施形態では、個別のホッピングパターン１４０は、ホッピングパターンのセットから選択されてもよく、定義された使用頻度（＝動作パラメータ）がホッピングパターンのセットの各ホッピングパターンに割り当てられてもよい。
これは、ホッピングパターンの使用が均一に実行されるのではなく、選択的に不均一に実行されることを意味する。
【０１６２】
これにより、以下の問題が解決され得る。ネットワークの理論上の最大容量に到達するには、すべてのホッピングパターンを同じ使用頻度で使用する必要がある。
ただし、容量制限を超えると、すべてのホッピングパターンでパケット損失の確率が等しく悪くなり、パケットを送信できなくなるという事実が生じる。
【０１６３】
＜１．３．１  使用頻度の変化＞
実施形態では、さまざまな使用頻度を採用することができる。これにより、正常なネットワークの劣化が軽減されるか、回避されることさえある。
【０１６４】
例えば、ホッピングパターンの使用頻度は、ホッピングパターンセットに固定的に保存されてもよい。
これにより、頻繁に使用されるホッピングパターンのネットワーク容量がより速く到達するという事実になる。したがって、残りのホッピングパターンの使用頻度を低く選択すると、完全に重複する確率が低下するため、使用頻度の低いホッピングパターンでメッセージを正常に送信できる確率が高くなる。
【０１６５】
これにより、ネットワークは容量の制限内で連続して少ないメッセージを転送できるが、制限を超えても完全には壊れないが、選択した使用頻度に従ってネットワークの遅延が増加する。これにより、容量制限で制御された予測可能なネットワークパフォーマンスの損失が可能になる。
【０１６６】
実施形態において、送信のためのホッピングパターンの使用頻度は、使用頻度の所定の規則に従ってデータ送信機側（および／またはデータ受信機側）で決定されてもよい。
【０１６７】
実施形態において、ホッピングパターンを復号するために提供される計算性能は、ホッピングパターンの使用頻度に従ってデータ受信機側において割り当てられてもよい。
【０１６８】
次の例は、説明のためのものである。ホッピングパターンＭ１およびＭ２は、時間／周波数ホッピングパターンセットＳ１で定義される。
各セットには、Ｍ１  ７５％とＭ２  ２５％の相対的な使用頻度が割り当てられている。
これは、ホッピングパターンＭ１がＭ２の３倍の頻度で送信に使用されることを意味する。
したがって、ホッピングパターンＭ１を使用した転送が、ホッピングパターンＭ１を使用した別のノードの同時送信によって妨害される確率は、ネットワークで使用される頻度が低いため、ホッピングパターンＭ２を使用した送信の３倍になる。
【０１６９】
＜１．３．２  アプリケーション固有および／または独自のホッピングパターン＞
実施形態では、個別のホッピングパターンは、（割り当てられた）動作パラメータに応じてホッピングパターンのセットから選択されてもよく、（割り当てられた）動作パラメータが適用される。
したがって、ホッピングパターンは、アプリケーションに応じて選択できる。
一部のホッピングパターンは、特定のメッセージタイプ（アラームなど）にのみ使用できる。
これにより、特定のサービスにＱｏＳを実装したり、特定のネットワークプロバイダのグローバルホッピングパターンの独自拡張を許可したりできる。
【０１７０】
これにより、以下の問題が解決され得る。既知のグローバルホッピングパターンを使用して、重要なまたは特別なメッセージ（アラームなど）は、通常のメッセージと同じ確率で送信される。
ただし、メッセージに応じて、送信が他よりも高いまたは低い優先度を受信することが望まれる場合がある。例えば、火災警報や事故を示す自動車のメッセージは、他よりも優先度が高くなる。
【０１７１】
実施形態では、データ送信機側（または波形側）において、送信に使用されるホッピングパターンは、送信されるデータに応じて選択されてもよい。
【０１７２】
実施形態では、データ受信機側で、ホッピングパターンを復号するために提供される計算性能は、ホッピングパターンの優先度に従って適合されてもよい。
【０１７３】
＜１．４  パフォーマンス依存のホッピングパターン＞
実施形態において、個別のホッピングパターンは、データ送信機１００の（固有の）動作パラメータに依存する場合があり、データ送信機１００の（固有の）動作パラメータは、水晶公差であり得る。
【０１７４】
これにより、以下の問題が解決され得る。
無線伝送システムは、規制および実装の観点から、事前定義された周波数チャネルにバインド（結合）されている。
使用される水晶公差により、メッセージが実際に発信される頻度を正確に決定することはできない。
このため、ガードバンドが定義される。ただし、エミッション（emission）は特に実行されないが、許容範囲でも使用される。
【０１７５】
図３は、帯域エッジ１５２によって定義される通信システムの周波数帯域１５０、ならびに送信のためにデータ送信機１００によって使用される周波数Ａ１５４、および周波数Ａ１５４の周りの許容範囲１５６を図で示し、データ送信機１００の送信が、その水晶公差のために実際に行われる。
ここで、縦軸は周波数を表し、横軸は時間を表す。
【０１７６】
言い換えれば、図３は、周波数Ａ１５４で定義された送信を示している。
実際の送信は、周波数Ａ±許容範囲（青色領域）１５６の範囲の周波数で行われる。
これは、１００％の精度での判定が不可能だからである。
このオフセットで指定された帯域内にとどまるためには、送信用ではないが、帯域エッジ１５２が大きな許容差で超えられないように十分な大きさの特定のマージン１５８を定義する必要がある。
【０１７７】
周波数リソースを最大限に使用できるようにするには、ガードバンドをできる限り狭くすることが望ましいが、これにより、使用する水晶振動子の要件が増加し、ノードのコストが増加する。
【０１７８】
前述のポイントは、テレグラム分割無線伝送システムでも発生し、無線システムのノードの許容公差が大きいほど、時間および周波数ホッピングパターンで使用できる周波数サブチャネルが少なくなるという事実によるものである。
【０１７９】
これにより、ノードの精度が高いホッピングパターンのエッジの許容範囲が小さくなり、帯域エッジを超えずにこれらのノードの幅広いホッピングパターンを定義することができる。
許容範囲が大きい場合、許容範囲を広げる必要がある。そのため、帯域エッジ内で送信を継続するには、ホッピングパターンを狭くする必要がある。これは再び図４に示されている。
【０１８０】
図４は、帯域エッジ１５２によって定義される通信システムの周波数帯域、広いホッピングパターン１４０＿１によって使用される周波数範囲１５４＿１、その許容範囲１５６＿１、および狭いホッピングパターン１４０＿２によって使用される周波数範囲１５４＿２、およびその許容範囲は１５６＿２を示す図である。
言い換えれば、図４は、異なる許容範囲に起因する広いホッピングパターンと狭いホッピングパターンの比較を示している。ここで、縦軸は周波数を表し、横軸は時間を表す。
【０１８１】
現在、許容値が低いノードが、許容値が高いノードに定義されたホッピングパターンを使用する場合、これらのノードが許容範囲を完全に使用しないため、これらのノードが互いに干渉する可能性が高くなり、したがって、より少ない周波数リソースを効果的に使用する。これを図５に示す。
【０１８２】
詳細には、図５は、帯域エッジ１５２によって定義される通信システムの周波数帯域１５０、および図４に示す狭いホッピングパターン１４０＿２を使用する低い許容範囲１５６＿２を有するデータ送信機１００から生じる周波数帯域の未使用周波数範囲１５８を図で示す。
言い換えると、図５は、許容値が低いノードの場合の狭いホッピングパターンを示している。ここで、縦軸は周波数を表し、横軸は時間を表す。
【０１８３】
実施形態では、ホッピングパターン（またはホッピングシーケンス）１４０は、データ送信機１００（例えば、ノード）の許容範囲に適合させることができる。
【０１８４】
これには、許容値が低い高価なデータ送信機（ノードなど）よりも許容値が低い高価なデータ送信機（ノードなど）が多数の無線チャネルにアクセスできるため、データ送信機（ノードなど）間の干渉確率が低下するという利点がある。
さらに、安価なデータ送信機（ノードなど）を同じネットワークで運用することもできる。
【０１８５】
＜１．４．１  過度に高い水晶公差の補正のためのホッピングパターン＞
実施形態において、個別のホッピングパターン１４０は、データ送信機１００の（固有の）動作パラメータに依存し得、（固有の）動作パラメータは、データ送信機１００の水晶公差であり得、データ送信機１００は、水晶公差に応じて、使用される周波数チャネルの周波数サブチャネルの最大範囲を決定し、個別のホッピングパターン１４０を計算するか、使用される周波数チャネル（または周波数帯域）の周波数サブチャネルの最大範囲内にあるようにホッピングパターンのセットから選択するように構成され得る。
【０１８６】
例えば、高い許容度を備えたデータ送信機１００（例えばノード）の場合、より少ない数のサブチャネルを使用するホッピングパターンのセットを定義することができ、これによりチャネル全体へのコンプライアンスが保証され得る。
【０１８７】
実施形態において、データ送信機側（または波形）側では、送信に使用されるホッピングパターン１４０は、データ送信機１００の許容範囲に応じて選択され得る。
【０１８８】
例えば、許容誤差が小さいデータ送信機１００の場合、帯域１５０の端部領域に近いサブチャネルを持つ広いホッピングパターンを選択することができ、一方、許容誤差が大きいデータ送信機１００の場合、サブチャネルが遠い狭いホッピングパターンバンド１５０のエッジ領域から選択することができる。
【０１８９】
＜１．４．２．水晶公差が高い場合のエッジチャネルの省略＞
許容値に応じて、許容値の高いデータ送信機（ノードなど）は、水晶公差のために、伝送がチャネル内で発生することを保証できないエッジサブチャネルでサブデータパケット１４２を送信すべきでない。
【０１９０】
サブチャネルが均一に使用されるようにホッピングパターンが選択されている場合、この測定の結果として送信から脱落するサブパケットはわずかであり、テレグラム分割で使用されるエラー保護のため、最悪のデータ送信機（ノードなど）におけるメッセージの受信可能性と再構築可能性がさらに保証される。
【０１９１】
実施形態において、データ送信機側（または波形側）で、送信に使用されるホッピングパターン１４０は、公差に応じて、公差が必要とする限り、エッジで使用されないままである場合もある。
【０１９２】
実施形態において、データ受信機１１０は、データ送信機１００の公差により周波数で非常に大きくシフトされ、実際に定義された帯域１５０の外にあるホッピングパターンを受信するように構成され得る。
さらに、データ受信機１１０は、例えば、元のホッピングパターンの歪んだバージョンに対応するさらなる受信ホッピングパターンの定義を通じて、周波数公差によって引き伸ばされまたは圧縮されたホッピングパターンを受信し続けるように構成され得る。
【０１９３】
＜１．４．３．バッテリーの補償のためのホッピングパターンのパンクチャリング＞
実施形態において、個別のホッピングパターンは、データ送信機１００の（固有の）動作パラメータに依存する場合があり、データ送信機１００の（固有の）動作パラメータは、利用可能な送信エネルギー、またはデータ送信機１００のエネルギー供給ユニット（例えば、ボタンセルまたはエネルギー収穫要素）によって提供されるエネルギー量であり得る。
【０１９４】
この場合、データ送信機１００は、個別のホッピングパターン１４０を取得するために、利用可能な送信エネルギーに応じてホッピングパターンをパンクチャリングするように構成されてもよい。
【０１９５】
例えば、データ送信機１００（例えば、ノード）は、個々のサブデータパケット１４２間の一時停止が許すよりも長い無線チャネルでの放射後の再生フェーズを必要とする電流供給を備えてもよい。
この場合、データ送信機１００（例えば、ノード）は、再生に必要な最小の一時停止を維持できるようにするために、時間／周波数ホッピングパターンを「パンクチャリング」することができる。
ここで、省略されたサブデータパケット１４２の数は、データの復号可能性が維持されるように、使用されるエラー保護のレートに従って選択されることに留意されたい。
【０１９６】
実施形態では、データ送信機側（または波形側）で、放射に使用されるホッピングパターンは、２つの送信間の一時停止時間がバッテリー節約動作を可能にするようにパンクされてもよい。
【０１９７】
＜１．４．４  周波数オフセットホッピングパターン＞
実施形態では、個別のホッピングパターン１４０は、データ送信機１００の（固有の）動作パラメータに依存する場合があり、（固有の）動作パラメータは、個別のホッピングパターン１４０を取得するためにデータ送信機がホッピングパターンに適用する周波数オフセットであり得る。周波数オフセットは、ランダムな周波数オフセットであってもよい。
【０１９８】
許容値が低いノードの場合、ホッピングパターンが狭すぎると定義されると、図５に示すように、未使用の周波数範囲の問題が発生する。
ホッピングパターン１４０が周波数全体でランダムにシフトされる場合、これは回避され得る。ランダム周波数オフセットの制限は、以前は狭いホッピングパターンで使用されていなかった領域も使用されるように選択できる。
【０１９９】
データ受信機１１０における後の処理のために、使用されるランダム周波数オフセットが送信されたデータの一部に保存される場合に有利である場合がある。
これにより、データ受信機は、許容誤差に起因する周波数オフセットの判定を継続できる。情報がなければ、データ受信機はどの公称周波数でデータ送信機１００が送信を実行したかを公差なしに知ることができないため、これは不可能かもしれない。
【０２００】
＜１．４．５．オーバーポジショニングホッピングパターンパンクチャリング＞
実施形態では、送信された部分パケットの数が、ホッピングパターンで定義された送信の数を下回るように、ホッピングパターンも選択され得る。
これは、すべてのサブデータパケットがまだ送信されているため、送信中に送信確率に悪影響を与えることなく、ホップをランダムに省略できることを意味する。これにより、ランダムな省略により完全な重複の確率が低下するため、ネットワークの容量を増やすことができる。
【０２０１】
実施形態では、データ送信機側（または波形側）で、送信されるサブデータパケットの数よりも多いホップ数を定義するホッピングパターンは、ランダムパンクチャリングによって必要なホップ数に短縮されてもよい。
【０２０２】
実施形態では、データ受信側では、パンクチャリングが不明であるため、定義されたすべてのホップにわたって検出をさらに実行することができる。例えば、異なるパンクチャリングパターンの検出品質を比較することにより、パンクチャリングの正確な決定が可能である。
【０２０３】
＜１．５  拡張ホッピングパターン＞
実施形態では、さらなる（または第２の）個別のホッピングパターンをデータ送信機１００とデータ受信機１１０との間の送信に使用することができ、さらなる（または第２の）個別のホッピングパターンは（第１の）個別のホッピングパターン１４０または動作パラメータに依存する。
さらなる（または第２の）個別のホッピングパターンは、引き続いて拡張ホッピングパターンと呼ばれ、一方（第１の）個別のホッピングパターン１４０はコアホッピングパターンと呼ばれる。この場合、コアホッピングパターンは、上述の個別のホッピングパターン１４０に対応してもよい。
【０２０４】
この場合、コアホッピングシーケンス１４０は固定長（固定ホップ数１４２）を有し、固定長のデータの送信に使用され、拡張ホッピングシーケンスは可変長（可変ホップ数）を有し得、可変長のデータの送信に使用できる。
【０２０５】
コアホッピングシーケンス（＝個別のホッピングパターン）の適合による利益が失われないようにするために、拡張ホッピングシーケンスを生成するときに、コアホッピングシーケンスの特別な特性を考慮して、拡張ホッピングシーケンスに加えて、可変長の追加データを送信する可能性には、上記の利点もある。
【０２０６】
＜１．５．１．コアホッピングシーケンスチャネルを使用した拡張シーケンス＞
実施形態では、拡張ホッピングシーケンスがコアホッピングシーケンスも有する周波数サブチャネルのみを含むように、拡張ホッピングシーケンスは、コアホッピングシーケンスに応じてホッピングパターンのセットから計算、適合、または選択されてもよい。この場合、拡張ホッピングシーケンスの周波数サブチャネルは、コアホッピングシーケンスよりも少ない場合がある。
【０２０７】
例えば、拡張ホッピングシーケンスを生成（または形成）するとき、コアホッピングシーケンス１４０によっても使用されるサブチャネルのみが使用されてもよい。
次の表に基づいて例示的に示すように、欠落しているサブチャネルも省略される。
【０２０８】
【表１７】
2020517174.tif 000019
【０２０９】
生成のために、例えば、サブデータパケットごとに擬似乱数を作成することができ、結果の数は、サブチャネルの対応する数に関してモジュロ演算によって制限される場合がある。
コアホッピングシーケンス１４０を通じて、乱数および乱数の生成方法がデータ受信機１１０に知られている可能性がある。
【０２１０】
実施形態において、データ送信機側では、コアホッピングシーケンス１４０のサブチャネルのみが拡張ホッピングシーケンスに使用され得る。
【０２１１】
実施形態では、データ受信機側で、拡張ホッピングシーケンスの予想されるサブデータパケットはそれに応じて適合され得る。
【０２１２】
＜１．５．２．コアシーケンス制限内の拡張シーケンス＞
実施形態では、拡張ホッピングシーケンスは、コアホッピングシーケンスが含まない周波数サブチャネルも含むように、コアホッピングシーケンスに応じてホッピングパターンのセットから計算、適合、または選択されてもよい。
【０２１３】
例えば、拡張ホッピングシーケンスの生成（または形成）で、（すべての）コアホッピングシーケンスの最高使用周波数サブチャネル以下で、最低使用以上の（すべての）サブチャネル次の表に基づいて例示的に示すように、コアホッピングシーケンスの周波数サブチャネルを拡張ホッピングシーケンスに使用できる。
【０２１４】
【表１８】
2020517174.tif 000020
【０２１５】
生成のために、例えば、サブデータパケットごとに擬似乱数を作成することができ、結果の数は、サブチャネルの対応する数に関してモジュロ演算によって制限される場合がある。
コアホッピングシーケンスにより、乱数と乱数の生成方法がデータ受信者に知られる場合がある。
【０２１６】
実施形態において、データ送信機側では、コアホッピングシーケンス１４０に使用されないサブチャネルのみが拡張ホッピングシーケンスに使用されてもよい。
【０２１７】
実施形態では、データ受信機側において、拡張ホッピングシーケンスの予想されるサブデータパケットはそれに応じて適合され得る。
【０２１８】
＜１．６．さらなる実施形態＞
図６は、一実施形態による信号を送信する方法１６０のフロー図を示す。
方法１６０は、信号を送信するステップ１６２を含み、信号は個別のホッピングパターンを含み、個別のホッピングパターンは送信機側の動作パラメータに依存する。
【０２１９】
図７は、一実施形態による信号を受信するための方法１７０のフロー図を示す（１７２）。
方法１７０は、信号を受信するステップを含み、信号は個別のホッピングパターンを含み、個別のホッピングパターンは送信機側の動作パラメータに依存する。
【０２２０】
図８は、一実施形態による、ホッピングパターンに従ってデータを送信する方法１８０のフロー図を示す。
方法１８０は、ホッピングパターンの複数のホップのうちのホップのサブセットを選択するステップ１８２を含み、ホップのサブセットは、ランダムにまたは動作パラメータに応じて、複数のホップから選択される。
さらに、方法１８０は、ホッピングパターンの選択されたホップでデータを送信するステップ１８４を含む。
【０２２１】
図９は、一実施形態によるホッピングパターンに従ってデータを受信する方法１９０のフロー図を示す。
方法１９０は、データを受信するステップ１９２を含み、データは、ホッピングパターンの複数のホップのうちの選択されたホップでのみ送信され、ホップは、ランダムにまたは動作パラメータに応じて選択される。
【０２２２】
＜２．ホッピングパターンの生成＞
以下では、ホッピングパターンを生成する方法の実施形態をより詳細に説明する。
【０２２３】
図１０は、一実施形態によるホッピングパターンを生成する方法２００のフロー図を示す。
方法２００は、複数のホッピングパターンをランダムに生成するステップ２０２を含み、ホッピングパターンは、周波数および時間で分布する少なくとも２つのホップを含む。
方法２００は、複数のホッピングパターンから、指定された自己相関特性を有するホッピングパターンを得るために、その自己相関関数が指定された自己相関特性を含むホッピングパターンを選択するステップ２０４をさらに含む。
【０２２４】
実施形態では、自己相関関数側の最大値が指定された最小振幅閾値を超えないホッピングパターンは、指定された自己相関特性を満たすことができる。
例えば、振幅閾値は、ホッピングパターンが細分化される複数のクラスタにおけるクラスタのホップ数に等しくてもよい。例えば、クラスタは、互いに同じ時間間隔および／または周波数間隔を含むいくつかのホップであり得る。
【０２２５】
実施形態では、各々の自己相関関数の指定された数の最大振幅値にわたって形成される小計が指定された閾値よりも小さいホッピングパターンが、指定された自己相関特性を満たし得る。
ここで、少なくとも２つのホッピングパターン（または指定された数のホッピングパターン）が指定された自己相関特性を満たすように、閾値が選択されてもよい。
【０２２６】
図１０に見られるように、方法２００は、指定された自己相関特性を有するホッピングパターン間の相互相関関数を計算するステップ２０６をさらに含み得る。
さらに、方法２００は、指定された自己相関特性および指定された相互相関特性を有するホッピングパターンを得るために、指定された自己相関特性を有するホッピングパターンから、その相互相関関数が指定された相互相関特性を含むホッピングパターンを選択するステップ２０８を含み得る。
【０２２７】
実施形態において、各々の相互相関関数の指定された数の最大振幅値にわたって形成される小計が最小であるホッピングパターンが、指定された相互相関特性を満たし得る。
【０２２８】
＜２．１  ＴＳＭＡのホッピングパターンの生成＞
例えば、図１０に示される方法で生成されたホッピングパターンは、いわゆる「テレグラム・スプリッティング・マルチ・アクセス（ＴＳＭＡ）」方法を使用して、多くのセンサノードから基地局への一方向または双方向のデータ送信のためのシステムで使用され得る。
【０２２９】
ＴＳＭＡでは、メッセージの送信は、各々が異なる長さの送信のない時間間隔がある間において、多数の短いバースト（＝ホップ、またはサブデータパケット）１４２に細分される。
ここで、バースト１４２は、実数および擬似ランダム原理に従って、時間にわたって利用可能な周波数にわたって分散されてもよい。
【０２３０】
テレグラム分割のこのアプローチは、他のセンサノードからの干渉に対して、それらが独自のシステムからのものか、外部システムからのものかに関係なく、特に大きな堅牢性を提供する。
特に、さまざまなユーザ信号バーストを時間領域と周波数領域にわたって可能な限り均一に分散することにより、独自のセンサノードでの干渉に対する堅牢性が実現される。
【０２３１】
このランダムな分布は、例えば、
（１）周波数に対する水晶基準発振器の避けられない許容偏差、
（２）ランダム非同期チャネルアクセスによる時間領域の任意の粒度の結果、
（３）異なるホッピングパターンに対する異なるセンサノードの異なるバースト配置、
などのさまざまな手段によって実現できる。
【０２３２】
このようなホッピングパターンの設計と最適化について、以下で詳しく説明する。
【０２３３】
伝送方法ＴＳＭＡでは、図１１に示すように、データパケット１２０の個々のバースト（以下ではフレームとも呼ばれる）は、時間および周波数全体に分散される。
【０２３４】
詳細には、図１１は、ＴＳＭＡホッピングパターン１４０を有するフレーム１２０の構造を図で示している。この場合、縦座標は周波数、またはチャネル（周波数チャネル）を表し、横軸は時間を表す。
【０２３５】
合計持続時間Ｔｆｒａｍｅを有するフレーム１２０の開始時間Ｔ０は、非同期送信のためにセンサノード１００によってランダムに選択される。
バースト１４２の持続時間Ｔｂｕｒｓｔは変化する可能性があるが、以下では一般的な有効性の制限なしに一定であると仮定される一方で、２つの隣接するバースト中心（この２つのバーストはインデックスｎおよびｎ＋１を持つ）の距離を各々が指定する時間間隔ｔｎ、（ｎ＋１）は、ｎ  ∈  ｛１、２、…、Ｎ｝に対して指定可能な範囲ＴＡ＿ｍｉｎ≦ｔｎ、（ｎ＋１）≦ＴＡ＿ｍａｘ内にあるランダムな量である。
Ｎは、フレーム１２０内のバースト１４２の数である。
送信に使用される周波数については、指定可能な周波数チャネルグリッド内にある個別の周波数チャネルの形で存在すると想定される。
２つのバースト１４２間の周波数分離ｆｎ、（ｎ＋１）は、ＴＳＭＡキャリア距離ＢＣの倍数である。
【０２３６】
使用可能な周波数チャネルの数はＬで与えられ、Ｎ≦Ｌが適用される。
この点で、Ｎ個のバースト１４２が必要とする以上のまたは正確に同じ数の周波数チャネルがあり、したがって、Ｎ個のバースト１４２の各々は、フレーム１２０内の異なる周波数チャネルに位置する。
【０２３７】
以下において、時間および周波数におけるＮ個のバースト１４２の配置は、ＴＳＭＡパターン（ＴＳＭＡホッピングパターン）と呼ばれる。
このホッピングパターンが受信機に知られている場合、それは、いくつかまたはすべてのバースト１４２に位置するパイロットシーケンスに基づいて同じものに関して同期し、その後受信データを復号することができる。
【０２３８】
１つまたは複数のＴＳＭＡパターンの設計に関して、次のシステム制限が考慮される場合がある。
（１）発振器の公称周波数からの周波数偏差が考慮される場合がある。
システムパラメータとハードウェア要件に応じて、周波数偏差はキャリア距離の倍数になる場合がある。
この周波数オフセットは正と負の両方の値を持つ可能性があるため、使用が考慮される周波数範囲の両端に、バーストのないＳ周波数チャネルのガードストリップ１５６（図１２参照）を適宜提供することができる。
この点で、ホッピングパターンの個々のバーストの自由度は（Ｌ−２・Ｓ）周波数に減少する。ここで、Ｎ≦（Ｌ−２・Ｓ）は依然として適用される。
（２）一時的な非同期送信のため、受信機１１０は、送信機１００がいつ送信するかを知らず、受信機もどの送信機が送信するかを知らない。
この点で、信号の検出は、パターン配置、すなわち、時間範囲Ｔｆｒａｍｅ内および（Ｌ−２・Ｓ）周波数にわたるＮ個のバースト１４２のグループ化は、完全にランダムである。
これに関して、例えば、相対的なＣ個の後続バースト１４２、例えば、同一であり、それらの時間および周波数間隔に関しては、いわゆるクラスタ１４８に結合されてもよい。
したがって、ホッピングパターン１４０は、各々Ｃ個のバースト１４２を有するＮ／Ｃクラスタ１４８からなる。
Ｃは、Ｎの整数除算器であるように有利に選択され得る。
2020517174.tif 000021
が適用される。詳細については、図１２に示すように説明する。
ただし、内部構造が完全に同一であるＮ／Ｃクラスタ１４８で構成されるホッピングパターンの構築には、それらの相関特性（２Ｄ自己相関関数で各々Ｎ／Ｃの振幅を持つ強く顕著な側最大値の発生）に関していくつかの欠点があることはすでに述べた通りである。
Ｎ／Ｃクラスタ内のすべての第１のバースト１４２は、周波数オフセット方式（および場合によっては時間オフセット方式）で同一の繰り返しパターンを含む。したがって、Ｎ／Ｃバースト１４２が互いに干渉することが起こる。
ただし、この欠点は、結果として受信機で達成される可能性のある単純化を考慮すると受け入れられる場合がある。
Ｃ＝１のクラスタサイズ（したがってクラスタがまったくない）は、相関特性に関して常に最も有利である。
（３）テレグラム分割により、バースト１４２の持続時間Ｔｂｕｒｓｔは、フレーム１２０全体の送信時間と比較して比較的短い。
第１のバースト１４２の送信後、特定の最小時間ＴＡ＿ｍｉｎが経過することが許される場合、これは、バッテリー駆動センサノードの電流消費に関して特定の利点を有し得る（比較的エネルギー集約的な送信処理後のバッテリーの再生時間）。
この最小距離ＴＡ＿ｍｉｎも、設計ガイドラインとしてクラスタ内で遵守する必要がある。
【０２３９】
上述の制限を考慮して、図１２に示されるＴＳＭＡパターン１４２の構造が生じる。
【０２４０】
詳細には、図１２は、ＴＳＭＡホッピングパターン１４２の構造の概略図を図で示している。
この場合、縦軸は周波数チャネルの周波数を表し、横軸は時間を表す。
言い換えれば、図１２は、クラスタ配置および周波数占有状態を有するＴＳＭＡホッピングパターン１４２の構造を示す。
【０２４１】
わかりやすくするために、図１２の値は、Ｌ＝４４、Ｓ＝４、Ｎ＝２４、Ｃ＝３のように、必要に応じて具体的な数値を補完した純粋な例である。
発振器の公称周波数からの周波数偏差により、Ｓ＝４の周波数帯域は各々バースト占有のためにブロックされ、２４のバーストまたは８つのクラスタに３６の周波数帯域が残る。
【０２４２】
これにより、周波数チャネルの占有に関して次の自由度が得られる。
８つのクラスタの３つのバーストは各々同じ周波数間隔を持っているため、少なくとも８つの追加の周波数帯域が予約され、３つのバーストの基本割り当てに最大２８の周波数帯域が残される。
例えば、３つの異なる周波数帯域での相対的な割り当てを実行できる。
例えば、ベース割り当て（１，２８，１４）または（１，２４，１２）の場合のように、隣接するバーストで可能な最大の周波数スイングは、後の最適化に関して有利であることがわかる。
互いに関する個々のクラスタの割り当ては、ランダムに行うこともできる。
例えば、番号｛１，２，３，４，５，６，７，８｝の順序は互いに任意に並べ替えることができ（Ｍａｔｌａｂコマンド：ｒａｎｄｐｅｒｍ（８））、これら８つの異なる値を８つのクラスタのバーストの周波数割り当てを取得するための基本割り当てに各々に追加できる。
【０２４３】
これにより、時間間隔に関して次の自由度が得られる。
ここでは、クラスタの３つのバースト間の２つの時間間隔と、８つのクラスタ間の７つの時間間隔を決定する必要がある。
特定の最小時間ＴＡ＿ｍｉｎを下回ることはできない。上限時間ＴＡ＿ｍａｘは、フレーム期間Ｔｆｒａｍｅの指定から生じる。
時間間隔の決定は、サイコロを投げることによって実行することもできる（Ｍａｔｌａｂコマンド：ΔＴ＝ＴＡ＿ｍｉｎ＋（ＴＡ＿ｍａｘ−ＴＡ＿ｍｉｎ）・ｒａｎｄ（７，１））。
【０２４４】
「Ｔｅｌｅｇｒａｍ  Ｓｐｌｉｔｔｉｎｇ  Ｍｕｌｔｉｐｌｅ  Ａｃｃｅｓｓ（ＴＳＭＡ）」方式では、ホッピングパターン１４０に従って、メッセージが時間方向と周波数方向の両方で多くの小さなバースト１４２に分割される。
非同期送信および個々のセンサノード１００の異なる周波数の逸脱により、バースト１４２は、時間および利用可能な周波数スペクトルにわたって塗りつぶされる。
すべてのセンサノード１００が同じホッピングパターンを持ち、参加者の数が増えると、異なる参加者のバーストがますます頻繁に重なり合うため、相互に干渉する。
フレーム１２０内のより多くのバースト１４２が他の参加者のバーストによって妨害されるほど、受信機側のエラー訂正が失敗し、送信エラーが発生する可能性が高くなる。
【０２４５】
実施形態は、無線伝送システムのパケットエラーレート（フレームまたはパケットエラーレート、ＦＥＲ、ＰＥＲ）を理想的に最小化するホッピングパターンのセットを提供する。
これは、すべての無線参加者が同じホッピングパターンのセットを使用するという仮定の下で行われる。
ホッピングパターンでの無線周波数の配置に関して、離散的な無線チャネルを導入することにより、有限の（通常は非常に多いが）数の順列のみが可能であるが、バースト１４２の時間的配置は、非常に多数の順列の可能性、つまり連続時間軸によるホッピングパターンをまねく。
したがって、可能なすべてのホッピングパターンにわたる「完全な検索」はほとんど不可能である。
したがって、本発明の基礎となる方法は、適切な設計基準を使用して、予想される最小エラー率に関して最良の特性を持つセットを、非常に多数の（擬似）ランダムに生成されたホッピングパターンから選択するモンテカルロアプローチに基づいている。
このセットのホッピングパターンの数は、Ｐｓｅｌｅｃｔｉｏｎになる。
【０２４６】
適切なホッピングパターン１４２を作成するために、理想的には期待されるパケットエラー率に厳密に単調に関連する、すなわち、その最小化が理想的にはパケットエラー率を最小化する行列が必要である。
実施形態において、ホッピングパターンの２次元（２Ｄ）自己相関および／または相互相関は、設計基準とみなされ得る。
【０２４７】
倍数のＴＡでサンプリングされた持続時間ＴｆｒａｍｅとＬ周波数帯域の占有周波数スペクトルにまたがるホッピングパターン１４２の行列Ｘの２Ｄ自己相関（ＡＣＦ）Θｘ、ｘは、次のように指定できる。
2020517174.tif 000022
【０２４８】
ここで、Ｌは行列Ｘの行数、Ｍ＝Ｔｆｒａｍｅ／ＴＡは行列Ｘの列数である。
バーストが行列Ｘの各々の位置ｘ（ｌ、ｍ）にある場合、エントリはＸのこの位置にｘ（ｌ、ｍ）＝１で配置する。
それ以外の場合はｘ（ｌ、ｍ）＝０である。
占有範囲外のＸのインデックス付き要素もゼロである。
【０２４９】
ｘ（ｌ、ｍ）＝０、ｌ＜０またはｌ≧Ｌまたはｍ＜０またはｍ≧Ｍ
参加者ごとの発振器周波数誤差は、定義によりＳ周波数チャネルの最大偏差に達する可能性があるため、ＡＣＦの周波数インデックスｆは−２Ｓから＋２Ｓに拡大する。
一方、時間インデックスｔは−ＴｆｒａｍｅからＴｆｒａｍｅまでＴｆｒａｍｅ／ＴＡのステップで実行される。
したがって、Θｘ、ｘのダイＡＣＦ寸法は（４Ｓ＋１）×（２Ｍ＋１）である。
【０２５０】
時間と周波数の情報行列Ｘでは、必要に応じて、隣接チャネル干渉の影響も考慮することができる。
これは、受信機１１０の受信フィルタが、隣接チャネル干渉に関して特定の選択性を持たない場合に重要である。
このために、対応する情報を行列Ｘに挿入する行列ベクトルｍＭｅｔ＝｛コチャネル、第１の隣接チャネル、第２の隣接チャネル、…｝を導入できる。
例えば、ｍＭｅｔ＝｛１、０．５、０．１｝の行列が指定されている場合、Ｘには、バーストの存在が想定されるポイントｘ（ｌ、ｍ）に１があり、隣接周波数ｘ（ｌ−１、ｍ）およびｘ（ｌ＋１、ｍ）の２つの位置に０．５があると仮定される。
したがって、さらに外側では、ｘ（ｌ−２、ｍ）およびｘ（ｌ＋２、ｍ）で、第２の隣接チャネルの値は０．１である。
このインデックスは、バーストがＸにあるすべての位置で実行できる。
【０２５１】
図１３ａおよび１３ｂは、２つのＡＣＦの例を示している。
図１３ａでは、ｔ＝ｆ＝０での避けられない主最大値に加えて（この場合、シフトされていないシーケンスはそれ自体と最も類似しているため、２Ｄ−ＡＣＦは両方の次元（時間と周波数）でシフトされていないシーケンスの最高値を持つＮ個のバースト衝突）と、クラスタ形成に起因するＮ／Ｃの振幅を持つ２つまたは４つの可能な最大側、しきい値Ｎｔｒｅｓｈｏｌｄ以下の値のみがある。
このしきい値が低いほど、フレーム内で乱れているバーストが少なくなるが、送信エラーの可能性は低くなる。
他方、図１３ｂは、いくつかの場所で閾値を超える、より好ましくないホッピングパターンを示している。これにより、伝送エラーの確率が高くなる。
【０２５２】
以下では、個々の設計手順について詳しく説明する。
【０２５３】
最初の設計ステップでは、ＡＣＦ側の最大値が指定された最小振幅しきい値Ｎｔｈｒｅｓｈｏｌｄ≧Ｃ（Ｃはクラスタサイズ）を超えないホッピングパターンのＰｏｐｔｉｍｕｍ候補が生成される。
ホッピングパターンの候補の生成は、モンテカルロシミュレーションのコンテキストで行われる。
モンテカルロシミュレーションでは、ランダムな時間と周波数のパターン（前述のエッジ条件のコンテキストで、上記を参照）を持つホッピングパターンが生成される。
Ｎｔｈｒｅｓｈｏｌｄ＞Ｃが閾値に適用される場合、値Ｃを超える値の数はできるだけ少なくする必要がある。
【０２５４】
このため、２Ｄ自己相関Θｘ、ｘの（４Ｓ＋１）×（２Ｍ＋１）要素は、ベクトルＶｓｏｒｔにおいて昇順で並べ替えられる。
合計は、すべてのホッピングパターンのすべてのＡＣＦ要素でほぼ一定であり、ほとんどのＡＣＦ要素の値は０、１、またはＣ（完全クラスタ衝突）であるため、Ｃより大きい値のみが使用可能である。
この点で、Ｖｓｏｒｔ、すなわちＶｓｏｒｔ（ｅｎｄ−ｖＡＣＦ＋１：ｅｎｄ）の最後のｖＡＣＦ要素のみを考慮するだけで十分である。
したがって、基準（指定された自己相関特性）として、可能であれば、これらのｖＡＣＦ要素の合計ＳＵＭＡＣＦは、Ｓｓｕｍ＿ＡＣＦ＿ｔｈｒｅｓｈｏｌｄ＝（ｖＡＣＦ−１）・Ｃ＋Ｎのしきい値を超えないことが決定される。
十分な数の異なるホッピングパターンが見つからない場合、ホッピングパターンの十分な数のＰｏｐｔｉｍｕｍが利用できるようになるまで、Ｓｓｕｍ＿ＡＣＦ＿ｔｈｒｅｓｈｏｌｄの値を１ずつ増加させる。
特に、行列ベクトルｍＭｅｔによる隣接チャネル干渉が２Ｄ−ＡＣＦの計算に含まれる場合、合計閾値Ｓｓｕｍ＿ＡＣＦ＿ｔｈｒｅｓｈｏｌｄは大幅に増加する可能性がある。
【０２５５】
ホッピングパターン１４２の異なるセットが検索される場合、新しいパラメータセットで第１の設計ステップが繰り返されてもよい。
例えば、異なる発振器偏差を持つホッピングパターンのいくつかのセットを生成し、それらを一緒に最適化する必要がある場合がある。
発振器の偏差が異なると、ガードストリップＳが異なる可能性があり、その結果、発生する可能性のあるバースト占有の自由度が変化する。
この点で、ＡＣＦ計算内の一部のパラメータも変更される。
【０２５６】
異なるホッピングパターンの特定の数Ｐｓｅｌｅｃｔｉｏｎが検索される場合、それらは可能な限り互いに直交し、個々の２Ｄ相互相関行列（２Ｄ−ＣＣＦ）
2020517174.tif 000023
高い最大値は、無線伝送の単一フレーム内の多数の衝突バーストに対応する可能性があるため、行列ＸとＹを持つ２つのホッピングパターンの最小値は、可能な限り低い最大値を含む必要がある。
Θｘ、ｙの時間インデックスは、−ＴｆｒａｍｅからＴｆｒａｍｅまで、Ｔｆｒａｍｅ／ＴＡのステップで変化しない方法で続く。
一方、ＣＣＦ周波数インデックスｆは、一般に−（Ｓｘ＋Ｓｙ）から＋（Ｓｘ＋Ｓｙ）に拡張される。
これは、考慮される２つのホッピングパターンが周波数誤差の振る舞い（発振器周波数偏差）に異なる偏差を含むことがあるためである。
図１４ａおよび図１４ｂは、好ましい場合（図１４ａ）および好ましくない場合（図１４ｂ）の２つの２Ｄ−ＣＣＦの例を再び示している。
【０２５７】
第２の設計ステップでは、以前に選択されたＰｏｐｔｉｍｕｍから、関連付けられた２Ｄ自己相関シーケンスΘｘ、ｘを持つホッピングパターン候補から開始し、すべて（Ｐｏｐｔｉｍｕｍ−１）×（Ｐｏｐｔｉｍｕｍ）可能な、一般に異なる相互相関シーケンスΘｘ、ｙを計算できる。
各２Ｄ−ＣＣＦでは、Θｘ、ｙの値を再度昇順で並べ替えることができ（２Ｄ−ＡＣＦのプロセスと同様）、最後のｖＣＣＦ要素の合計を計算できる。
つまり、ＳＵＭＣＣＦ＝ｓｕｍ（Ｖｓｏｒｔ（ｅｎｄ−ｖＣＣＦ＋１：ｅｎｄ））および２次（Ｐｏｐｔｉｍｕｍ×Ｐｏｐｔｉｍｕｍ）行列ＯｖＣＣＦに格納される。
【０２５８】
第３のステップでは、フレーム内の衝突バーストの比較的低い最大数と相関するため、互いに関して最も好ましい２Ｄ−ＣＣＦ特性を含むＰｓｅｌｅｃｔｉｏｎ異なるホッピングパターン１４２が探索されることになる。
このため、（（Ｐｓｅｌｅｃｔｉｏｎ−１）・Ｐｓｅｌｅｃｔｉｏｎ）／２個の異なる２Ｄ−ＣＣＦの特性は、行列ＯｖＣＣＦに格納されている合計ＳＵＭＣＣＦに基づいて評価できる。
ＯｖＣＣＦからの（（Ｐｓｅｌｅｃｔｉｏｎ−１）・Ｐｓｅｌｅｃｔｉｏｎ）／２個の異なる小計ＳＵＭＣＣＦに渡る合計が、最適化されたＰｓｅｌｅｃｔｉｏｎホッピングパターンにおいて最小となる。
広範なモンテカルロシミュレーションの文脈では、Ｐｓｅｌｅｃｔｉｏｎ＜＜Ｐｏｐｔｉｍｕｍが目的であるため、二項係数「Ｐｏｐｔｉｍｕｍ  ｏｖｅｒ  Ｐｓｅｌｅｃｔｉｏｎ」によると、さまざまな組み合わせの可能性があり、通常は完全に処理する必要はない。
この点で、Ｐｓｅｌｅｃｔｉｏｎホッピングパターンは常にＰｏｐｔｉｍｕｍの現在のホッピングパターン（Ｍａｔｌａｂコマンド：Ｆ＝ｒａｎｄｐｅｒｍ（１：Ｐｏｐｔｉｍｕｍ）およびＰａｔｔｅｒｎｓｅｌｅｃｔｉｏｎ＝Ｆ（１：Ｐｓｅｌｅｃｔｉｏｎ））から新しくランダムに選択され、合計ＴＳは常に異なる小計ＳＵＭＣＣＦから計算される。
サンプルサイズがそれに対応して大きい場合、合計の局所的な最小値が存在し、Ｐｓｅｌｅｃｔｉｏｎホッピングパターンの望ましいセットを提供する。
【０２５９】
ホッピングパターンを決定する際の完全な設計プロセスと自由度が再び図１５に示されている。
同時にいくつかのホッピングパターンのセットを最適化する可能性が考慮されるが、示されるだけである。
【０２６０】
詳細には、図１５は、一実施形態によるホッピングパターンを生成する方法２６０のフロー図を示している。
【０２６１】
第１のステップ２６２では、方法２６０が開始される。
【０２６２】
第２のステップ２６４では、ｎは１に等しくなるように設定され、ここでｎは実行変数である。
【０２６３】
第３のステップ２６６では、ホッピングパターンがランダムに生成され得る。
ここで、周波数チャネル占有率に関して上記の自由度は、例えば、クラスタ内の各バーストの基本割り当てを伴うバーストの周波数チャネル割り当て、およびクラスタに対する別の割り当てを考慮することができる。
さらに、上記時間間隔に対する上記自由度は、例えば、クラスタ内およびクラスタ間の時間間隔の決定を考慮することができる。
【０２６４】
第４のステップ２６８では、ランダムに生成されたホッピングパターンの自己相関関数が計算され得る。
例えば、２Ｄ−ＡＣＦ計算Θｘ、ｘ（ｆ、ｔ）を実行できる。
さらに、２Ｄ−ＡＣＦ値はベクトルｖｓｏｒｔでソートできる。
さらに、自己相関関数の指定された数の最大振幅値、ＳＵＭＡＣＦ＝ｓｕｍ（ｖｓｏｒｔ（ｅｎｄ−ｖＡＣＦ＋１：ｅｎｄ））にわたって小計を形成できる。
【０２６５】
第５のステップ２７０において、ランダムに生成されたホッピングパターンが指定された自己相関特性を含むかどうかが決定され得る。
例えば、ホッピングパターンのＡＣＦ側の最大値が指定された最小振幅しきい値Ｎｔｈｒｅｓｈｏｌｄ≧Ｃ（Ｃはクラスタサイズ）を超えないかどうかを判断できる。
詳細には、これらのｖＡＣＦの合計ＳＵＭＡＣＦ要素（小計）は、例えば（ｖＡＣＦ−１）・Ｃ＋ＮのＳｓｕｍ＿ＡＣＦ＿ｔｈｒｅｓｈｏｌｄの合計閾値を超えないかどうかを判断できる。
【０２６６】
ホッピングパターンが指定された自己相関特性を含まない場合、第３のステップが繰り返される。ホッピングパターンが指定された自己相関特性を含む場合、方法は継続される。
【０２６７】
第６のステップ２７２では、（指定された自己相関特性を備えた）ホッピングパターンおよび行列Ｘが格納され得る。さらに、インデックスｎを１つ増やすことができる（ｎ＝ｎ＋１）。
【０２６８】
第７のステップ２７４では、最適な数Ｐｏｐｔｉｍｕｍのホッピングパターンが利用可能かどうかをチェックすることができる。
【０２６９】
最適な数Ｐｏｐｔｉｍｕｍのホッピングパターンが利用できない場合、第３のステップ２６６が繰り返される。
最適な数Ｐｏｐｔｉｍｕｍのホッピングパターンが利用可能な場合、この方法は継続される。
【０２７０】
第８のステップ２７６において、ホッピングパターンのさらなるセットが別のパラメータセット（例えば、別の発振器オフセット）に対して生成されるかどうかが決定される。そうである場合、第２のステップ２６４が繰り返される。そうでない場合、方法は続行される。
【０２７１】
第９のステップ２７８では、指定された自己相関特性を有するホッピングパターン間の相互相関関数が計算される。
例えば、２Ｄ−ＣＣＦ計算Θｘ、ｙ（ｆ、ｔ）が実行され、２Ｄ−ＣＣＦ値がベクトルｖｓｏｒｔに格納され、小計ＳＵＭＣＣＦ＝ｓｕｍ（ｖｓｏｒｔ（ｅｎｄ−ｖＣＣＦ＋１：ｅｎｄ））が計算され、小計ＳＵＭＣＣＦが行列ＯｖＣＣＦに保存される。
【０２７２】
第１０のステップ２８０において、ｎは１に等しくなるように設定されてもよく、ＴＳｔｈｒｅｓｈｏｌｄは大きな閾値、例えば１０６に設定されてもよい。
【０２７３】
第１１のステップ２８２で、Ｐｓｅｌｅｃｔｉｏｎホッピングパターンが、Ｐｏｐｔｉｍｕｍの存在するホッピングパターンから新たにランダムに選択される。
このために、サイコロを投げることにより、ランダムなシーケンスの異なる数のＰｏｐｔｉｍｕｍが取得される。
Ｆ＝ｒａｎｄｐｅｒｍ（１：Ｐｏｐｔｉｍｕｍ）。
これから、最初のＰｓｅｌｅｃｔｉｏｎ、ｐａｔｔｅｒｎｓｅｌｅｃｔｉｏｎ＝Ｆ（１：Ｐｓｅｌｅｃｔｉｏｎ）を選択できる。
ｐａｔｔｅｒｎｓｅｌｅｃｔｉｏｎに基づいて、総計ＴＳは、行列ＯｖＣＣＦにある個々の小計ＳＵＭＣＣＦから計算できる。
【０２７４】
第１２のステップ２８２では、ＴＳ≦ＴＳｔｈｒｅｓｈｏｌｄであるかどうかが決定され得る。
ＴＳ≦ＴＳｔｈｒｅｓｈｏｌｄが満たされない場合、ｎは１増加し、ｎ＝ｎ＋１であり、第１１のステップ２８２が繰り返される。
ＴＳ≦ＴＳｔｈｒｅｓｈｏｌｄの場合、しきい値ＴＳｔｒｅｓｈｏｌｄはＴＳで上書きされ、方法が続行される。
【０２７５】
第１３のステップ２８６では、選択されたホッピングパターンが保存され得る。
【０２７６】
第１４のステップ２８８では、ｎ≧キャンセルであるかどうかが決定され得る。
ｎ≧キャンセルが満たされない場合、ｎは１だけ増加し、ｎ＝ｎ＋１であり、第１１のステップ２８２が繰り返される。
ｎ≧キャンセルが満たされると、方法は完了する。
【０２７７】
＜２．２  ＴＳＭＡの典型的なホッピングパターン＞
上記の方法で生成された２つの例示的なホッピングパターンを以下に説明する。
【０２７８】
＜ホッピングパターン１＞
第１のホッピングパターンは、±２０ｐｐｍ以上の水晶公差を持つノード１００の時間ホッピングパターンと周波数ホッピングパターンの組み合わせであり、時間ホッピングパターンは、２４のホップを持つ次の８つの時間ホッピングパターンの１つである。
【０２７９】
【表１９】
2020517174.tif 000024
【０２８０】
ここで、表の各行は時間ホッピングパターンであり、表の各列は第２のホップから始まる各々の時間ホッピングパターンのホップであるため、各時間ホッピングパターンは２４ホップを含み、表の各セルは（できれば倍数の）シンボル持続時間における、各々のホップの中間からその直後のホップの中間までの時間間隔を示す。
【０２８１】
ここで、周波数ホッピングパターンは、各々２４ホップの次の８つの周波数ホッピングパターンのいずれかである。
【０２８２】
【表２０】
2020517174.tif 000025
【０２８３】
表の各行は周波数ホッピングパターンであり、表の各列は各々の周波数ホッピングパターンのホップであり、表の各セルはＵＣＧ＿Ｃ０からＵＣＧ＿Ｃ２３までのキャリアの各々の周波数ホッピングパターンの各々のホップの送信周波数を示す。
【０２８４】
＜ホッピングパターン２＞
第２のホッピングパターンは、±１０ｐｐｍ以上の水晶公差を持つノード１００の時間ホッピングパターンと周波数ホッピングパターンの組み合わせであり、時間ホッピングパターンは、２４のホップを持つ次の８つの時間ホッピングパターンの１つである。
【０２８５】
【表２１】
2020517174.tif 000026
【０２８６】
ここで、表の各行は時間ホッピングパターンであり、表の各列は第２のホップから始まる各々の時間ホッピングパターンのホップであるため、各時間ホッピングパターンは２４ホップを含み、表の各セルは（できれば倍数の）シンボル持続時間における、各々のホップの中間からその直後のホップの中間までの時間間隔を示す。
【０２８７】
ここで、周波数ホッピングパターンは、各々２４ホップの次の８つの周波数ホッピングパターンのいずれかである。
【０２８８】
【表２２】
2020517174.tif 000027
【０２８９】
表の各行は周波数ホッピングパターンであり、表の各列は各々の周波数ホッピングパターンのホップであり、表の各セルはＵＣＧ＿Ｃ０からＵＣＧ＿Ｃ２９までのキャリアの各々の周波数ホッピングパターンの各々のホップの送信周波数を示す。
【０２９０】
＜ホッピングパターン３＞
第３のホッピングパターンは、±２０ｐｐｍ以上の水晶公差を持つノード１００の時間ホッピングパターンと周波数ホッピングパターンの組み合わせであり、時間ホッピングパターンは、１８のホップを持つ次の８つの時間ホッピングパターンの１つである。
【０２９１】
【表２３】
2020517174.tif 000028
【０２９２】
ここで、表の各行は時間ホッピングパターンであり、表の各列は第２のホップから始まる各々の時間ホッピングパターンのホップであるため、各時間ホッピングパターンは１８のホップを含み、表の各セルは（できれば倍数の）シンボル持続時間における、各々のホップの中間からその直後のホップの中間までの時間間隔を示す。
【０２９３】
ここで、周波数ホッピングパターンは、各々１８ホップを有する次の８つの周波数ホッピングパターンのいずれかである。
【０２９４】
【表２４】
2020517174.tif 000029
【０２９５】
表の各行は周波数ホッピングパターンであり、表の各列は各々の周波数ホッピングパターンのホップであり、表の各セルはＵＣＧ＿Ｃ０からＵＣＧ＿Ｃ２３までのキャリアの各々の周波数ホッピングパターンの各々のホップの送信周波数を示す。
【０２９６】
＜ホッピングパターン４＞
第４のホッピングパターンは、±１０ｐｐｍ以上の水晶公差を持つノード１００の時間ホッピングパターンと周波数ホッピングパターンの組み合わせであり、時間ホッピングパターンは、１８のホップを持つ次の８つの時間ホッピングパターンの１つである。
【０２９７】
【表２５】
2020517174.tif 000030
【０２９８】
ここで、表の各行は時間ホッピングパターンであり、表の各列は第２のホップから始まる各々の時間ホッピングパターンのホップであるため、各時間ホッピングパターンは１８のホップを含み、表の各セルは（できれば倍数の）シンボル持続時間における、各々のホップの中間からその直後のホップの中間までの時間間隔を示す。
【０２９９】
ここで、周波数ホッピングパターンは、各々１８ホップを有する次の８つの周波数ホッピングパターンのいずれかである。
【０３００】
【表２６】
2020517174.tif 000031
【０３０１】
表の各行は周波数ホッピングパターンであり、表の各列は各々の周波数ホッピングパターンのホップであり、表の各セルはＵＣＧ＿Ｃ０からＵＣＧ＿Ｃ２９までのキャリアの各々の周波数ホッピングパターンの各々のホップの送信周波数を示す。
【０３０２】
一般に、シンボル持続時間の倍数にホップの表示がある場合、これは、シンボル持続時間の整数倍またはシンボル持続時間の一部を指すことが好ましい。
【０３０３】
＜３．さらなる実施形態＞
装置の文脈内でいくつかの態様を説明したが、上記態様は対応する方法の説明も表すと理解されるため、装置のブロックまたは構造的構成要素も対応する方法ステップとして、または方法ステップの機能として理解されたい。
それと同様に、文脈内でまたは方法ステップとして説明された側面は、対応する装置の対応するブロックまたは詳細または機能の説明も表す。
方法のステップの一部またはすべては、マイクロプロセッサ、プログラム可能なコンピュータ、または電子回路などのハードウェアデバイスを使用して実行できる。
いくつかの実施形態では、最も重要な方法ステップのいくつかまたはいくつかが、そのようなデバイスによって実行されてもよい。
【０３０４】
オーディオ信号またはビデオ信号またはトランスポート電流信号などの本発明に従って符号化された信号は、デジタル記憶媒体に格納されてもよく、または無線伝送媒体または有線伝送などの伝送媒体、例えばインターネットで伝送されてもよい。
【０３０５】
本発明に従って符号化されたオーディオ信号は、デジタル記憶媒体に記憶されてもよく、または無線伝送媒体または有線伝送媒体などの伝送媒体、例えばインターネットで伝送されてもよい。
【０３０６】
特定の実装要件に応じて、本発明の実施形態は、ハードウェアまたはソフトウェアで実装されてもよい。
実装は、例えば、フロッピーディスク、ＤＶＤ、Ｂｌｕ−ｒａｙ（登録商標）ディスク、ＣＤ、ＲＯＭ、ＰＲＯＭ、ＥＰＲＯＭ、ＥＥＰＲＯＭまたはフラッシュメモリ、ハードディスク、または各々の方法が実行されるように協働する、または、プログラム可能なコンピュータシステムと協働する電子的に読み取り可能な制御信号が格納された他の磁気メモリまたは光学メモリなどのデジタル記憶媒体を用いることで達成され得る。
これが、デジタル記憶媒体がコンピュータで読み取り可能な理由である。
【０３０７】
したがって、本発明によるいくつかの実施形態は、本明細書に記載の方法のいずれかが実行されるようにプログラム可能なコンピュータシステムと協働することができる電子的に読み取り可能な制御信号を含むデータキャリアを含む。
【０３０８】
一般に、本発明の実施形態は、プログラムコードを有するコンピュータプログラム製品として実装することができ、プログラムコードは、コンピュータプログラム製品がコンピュータ上で実行されるときに任意の方法を実行するのに有効である。
【０３０９】
プログラムコードは、例えば、機械可読キャリアに保存されてもよい。
【０３１０】
他の実施形態は、本明細書に記載の方法のいずれかを実行するためのコンピュータプログラムを含み、上記コンピュータプログラムは機械可読キャリアに格納されている。
【０３１１】
言い換えれば、したがって、本発明の方法の実施形態は、コンピュータプログラムがコンピュータ上で実行されるときに、本明細書に記載の方法のいずれかを実行するためのプログラムコードを有するコンピュータプログラムである。
【０３１２】
したがって、本発明の方法のさらなる実施形態は、本明細書に記載の方法のいずれかを実行するためのコンピュータプログラムが記録されるデータキャリア（またはデジタル記憶媒体またはコンピュータ可読媒体）である。
データキャリア、デジタル記憶媒体、または記録媒体は通常、有形または不揮発性である。
【０３１３】
したがって、本発明の方法のさらなる実施形態は、本明細書に記載の方法のいずれかを実行するためのコンピュータプログラムを表すデータストリームまたは信号のシーケンスである。
データストリームまたは信号シーケンスは、例えば、インターネットなどのデータ通信リンクを介して送信されるように構成されてもよい。
【０３１４】
さらなる実施形態は、本明細書に記載の方法のいずれかを実行するように構成または適合された処理ユニット、例えばコンピュータまたはプログラマブルロジックデバイスを含む。
【０３１５】
さらなる実施形態は、本明細書に記載の方法のいずれかを実行するためのコンピュータプログラムがインストールされているコンピュータを含む。
【０３１６】
本発明によるさらなる実施形態は、本明細書に記載の方法の少なくとも１つを実行するためのコンピュータプログラムを受信機に送信するように構成された装置またはシステムを含む。
送信は、例えば、電子的または光学的であってもよい。
受信機は、例えば、コンピュータ、モバイル機器、メモリ機器または同様の機器であってもよい。
装置またはシステムは、例えば、コンピュータプログラムを受信機に送信するためのファイルサーバを含んでもよい。
【０３１７】
いくつかの実施形態では、プログラマブルロジックデバイス（例えば、フィールド・プログラマブル・ゲート・アレイ、ＦＰＧＡ）を使用して、本明細書に記載の方法の機能の一部またはすべてを実行することができる。
いくつかの実施形態では、フィールド・プログラマブル・ゲート・アレイは、本明細書に記載の方法のいずれかを実行するためにマイクロプロセッサと協働してもよい。
一般に、方法は、いくつかの実施形態では、任意のハードウェアデバイスによって実行される。
上記ハードウェアデバイスは、コンピュータプロセッサ（ＣＰＵ）などの一般的に適用可能なハードウェアであってもよいし、ＡＳＩＣなどの方法に固有のハードウェアであってもよい。
【０３１８】
例えば、本明細書で説明される装置は、ハードウェアデバイスを使用して、またはコンピュータを使用して、またはハードウェアデバイスとコンピュータとの組み合わせを使用して実装されてもよい。
【０３１９】
本明細書で説明される装置、または本明細書で説明される装置の任意の構成要素は、ハードウェアおよび／またはソフトウェア（コンピュータプログラム）で少なくとも部分的に実装されてもよい。
【０３２０】
例えば、本明細書で説明される方法は、ハードウェアデバイスを使用して、またはコンピュータを使用して、またはハードウェアデバイスとコンピュータとの組み合わせを使用して実装されてもよい。
【０３２１】
本明細書で説明される方法、または本明細書で説明される方法の任意の構成要素は、実行および／またはソフトウェア（コンピュータプログラム）によって少なくとも部分的に実装されてもよい。
【０３２２】
上述の実施形態は、単に本発明の原理の例示を表すものである。
当業者は、本明細書に記載の配置および詳細の修正および変形を理解するであろうことが理解される。
これが、本発明が実施形態の説明および議論によって本明細書に提示された特定の詳細によってではなく、添付の特許請求の範囲によってのみ制限されることが意図される理由である。
【０３２３】
＜略語のリスト＞
Ｃ：クラスタを形成するバーストの数
Ｌ：利用可能な周波数帯域の数
Ｎ：フレームが構成するバーストの数
Ｎｔｈｒｅｓｈｏｌｄ：ＡＣＦ候補の生成における振幅しきい値
Ｐｓｅｌｅｃｔｉｏｎ：２Ｄ−ＡＣＦおよびＣＣＦ特性に関して最適化されたホッピングパターンの数
Ｓ：発振器の周波数エラーのため、ガードストリップとしてバーストを含むことのできない周波数帯域の数
ＴＡ：時間軸上のサンプリングレート
Ｔｂｕｒｓｔ：バーストの持続時間
Ｔｆｒａｍｅ：フレームの持続時間
ＴＳＭＡ：テレグラム電報分割マルチアクセス
ＴＳＭＡパターン：時間および周波数領域でのフレームのホッピングパターン
Ｘ：ホッピングパターンの時間と周波数の情報を持つ行列
Θｘ、ｘ：２Ｄ自己相関関数（２Ｄ−ＡＣＦ）
Θｘ、ｙ：２Ｄ相互相関関数（２Ｄ  ＣＣＦ）
【図１】
2020517174.tif 000048
【図２】
2020517174.tif 000049
【図３】
2020517174.tif 000050
【図４】
2020517174.tif 000051
【図５】
2020517174.tif 000052
【図６】
2020517174.tif 000053
【図７】
2020517174.tif 000054
【図８】
2020517174.tif 000055
【図９】
2020517174.tif 000056
【図１０】
2020517174.tif 000057
【図１１】
2020517174.tif 000058
【図１２】
2020517174.tif 000059
【図１３ａ】
2020517174.tif 000060
【図１３ｂ】
2020517174.tif 000061
【図１４ａ】
2020517174.tif 000062
【図１４ｂ】
2020517174.tif 000063
【図１５】
2020517174.tif 000064
【手続補正書】
【提出日】令和1年7月18日(2019.7.18)
【手続補正１】
【補正対象書類名】特許請求の範囲
【補正対象項目名】全文
【補正方法】変更
【補正の内容】
【特許請求の範囲】
【請求項１】
個別のホッピングパターン（１４０）を含む信号（１２０）を送信するように構成され、前記個別のホッピングパターン（１４０）は動作パラメータに依存し、
前記動作パラメータは、データ送信機（１００）が個別のホッピングパターン（１４０）を取得するためにホッピングパターンに提供する周波数オフセットであり、
前記周波数オフセットはランダム周波数オフセットである、データ送信機（１００）。
【請求項２】
前記データ送信機（１００）は、前記動作パラメータに応じて前記個別のホッピングパターン（１４０）を計算するように構成される、請求項１に記載のデータ送信機（１００）。
【請求項３】
前記データ送信機（１００）は、前記動作パラメータに応じてホッピングパターンのセットから前記個別のホッピングパターン（１４０）を選択するように構成される、請求項１または２に記載のデータ送信機（１００）。
【請求項４】
前記ホッピングパターンのセットが前記データ送信機（１００）に知られているか、または前記データ送信機（１００）に割り当てられている、請求項３に記載のデータ送信機（１００）。
【請求項５】
前記データ送信機（１００）の前記動作パラメータは、前記データ送信機（１００）自体の固有のパラメータである、請求項１〜４のいずれか一項に記載のデータ送信機（１００）。
【請求項６】
前記データ送信機（１００）の前記固有のパラメータは、前記データ送信機のアドレス指定情報または識別情報である、請求項５に記載のデータ送信機（１００）。
【請求項７】
前記データ送信機の前記固有のパラメータは、前記データ送信機の水晶公差である、請求項５に記載のデータ送信機（１００）。
【請求項８】
前記データ送信機（１００）は、前記水晶公差に応じて、使用される周波数チャネルの周波数サブチャネルの最大範囲を決定するように構成され、
前記データ送信機（１００）は、前記個別のホッピングパターン（１４０）を計算するか、使用される前記周波数チャネルの前記周波数サブチャネルの最大範囲内にあるようにホッピングパターンのセットから選択するように構成される、
請求項７に記載のデータ送信機（１００）。
【請求項９】
前記データ送信機の前記固有のパラメータは周波数オフセットである、請求項７または８に記載のデータ送信機（１００）。
【請求項１０】
前記データ送信機の前記固有のパラメータは、利用可能な送信エネルギーである、請求項５に記載のデータ送信機（１００）。
【請求項１１】
前記データ送信機（１００）は、前記利用可能な送信エネルギーに応じてホッピングパターンをパンクチャリングして前記個別のホッピングパターン（１４０）を取得するように構成される、請求項１０に記載のデータ送信機（１００）。
【請求項１２】
前記データ送信機の前記固有のパラメータは、前記個別のホッピングパターン（１４０）を得るために前記データ送信機（１００）がホッピングパターンに提供する周波数オフセットである、請求項５に記載のデータ送信機（１００）。
【請求項１３】
前記周波数オフセットは、ランダム周波数オフセットである、請求項１２に記載のデータ送信機（１００）。
【請求項１４】
前記データ送信機（１００）は、送信されるユーザデータまたはエラー保護データに応じて前記周波数オフセットを決定するように構成される、請求項１２に記載のデータ送信機（１００）。
【請求項１５】
前記データ送信機（１００）は、前記周波数オフセットを記述する情報を含む前記信号（１２０）を提供するように構成される、請求項１２〜１４のいずれか一項に記載のデータ送信機（１００）。
【請求項１６】
前記データ送信機の前記動作パラメータは、前記データ送信機（１００）に割り当てられたパラメータである、請求項１〜１５のいずれか一項に記載のデータ送信機（１００）。
【請求項１７】
前記データ送信機（１００）に割り当てられた前記パラメータは無線セルである、請求項１６に記載のデータ送信機（１００）。
【請求項１８】
前記個別のホッピングパターン（１４０）は、前記無線セルの基地局または中央制御ユニットによって前記データ送信機（１００）に割り当てられる、請求項１７に記載のデータ送信機（１００）。
【請求項１９】
前記データ送信機（１００）に割り当てられた前記パラメータは、前記データ送信機の地理的位置である、請求項１６に記載のデータ送信機（１００）。
【請求項２０】
前記データ送信機（１００）に割り当てられた前記パラメータは、ホッピングパターンのセットにおけるそれぞれのホッピングパターンの使用頻度である、請求項１６に記載のデータ送信機（１００）。
【請求項２１】
前記データ送信機（１００）は、それぞれの前記使用頻度に応じて前記ホッピングパターンのセットから前記個別のホッピングパターン（１４０）を選択するように構成される、請求項２０に記載のデータ送信機（１００）。
【請求項２２】
前記データ送信機（１００）に割り当てられた前記パラメータは、前記データ送信機の、または前記データ送信機（１００）によって送信されるメッセージの優先度である、請求項１６に記載のデータ送信機（１００）。
【請求項２３】
前記動作パラメータは、ユーザデータまたはユーザデータの一部である、請求項１〜２２のいずれか一項に記載のデータ送信機（１００）。
【請求項２４】
前記動作パラメータは、エラー保護データまたはエラー保護データの一部である、請求項１〜２３のいずれか一項に記載のデータ送信機（１００）。
【請求項２５】
前記ホッピングパターン（１４０）は、周波数ホッピングパターン、時間ホッピングパターン、または周波数ホッピングパターンと時間ホッピングパターンとの組み合わせである、請求項１〜２４のいずれか一項に記載のデータ送信機（１００）。
【請求項２６】
前記データ送信機（１００）は、データパケットを、各々が前記データパケットよりも短い複数のサブデータパケットに分割するように構成され、
前記データ送信機（１００）は、前記ホッピングパターンに従って時間および／または周波数で分配された前記複数のサブデータパケットを送信するように構成される、
請求項１〜２５のいずれか一項に記載のデータ送信機（１００）。
【請求項２７】
前記個別のホッピングパターン（１４０）は、第１の個別のホッピングパターンであり、
前記信号（１２０）は、第２の個別のホッピングパターンを含み、
前記第２の個別のホッピングパターンは、前記第１の個別のホッピングパターン（１４０）または前記動作パラメータに依存する、請求項１〜２６のいずれか一項に記載のデータ送信機（１００）。
【請求項２８】
前記第１の個別のホッピングパターン（１４０）は固定長を有し、
前記第２の個別のホッピングパターンは可変長を有する、請求項２７に記載のデータ送信機（１００）。
【請求項２９】
前記データ送信機（１００）は、前記第１の個別のホッピングパターンを使用して固定長のデータを送信するように構成され、
前記データ送信機（１００）は、前記第２の個別のホッピングパターンを使用して可変長のデータを送信するように構成される、請求項２８に記載のデータ送信機（１００）。
【請求項３０】
前記データ送信機（１００）は、前記第１の個別のホッピングパターン（１４０）または前記動作パラメータに応じて、ホッピングパターンのセットから前記第２の個別のホッピングパターンを選択するように構成される、請求項２７〜２９のいずれか一項に記載のデータ送信機（１００）。
【請求項３１】
前記データ送信機（１００）は、前記第１の個別のホッピングパターン（１４０）または前記動作パラメータに応じてホッピングパターンを適合させて前記第２の個別のホッピングパターンを取得するように構成される、請求項２７〜２９のいずれか一項に記載のデータ送信機（１００）。
【請求項３２】
データ送信機（１００）から信号（１２０）を受信するように構成されたデータ受信機（１１０）であって、
前記信号（１２０）は個別のホッピングパターン（１４０）を含み、
前記個別のホッピングパターン（１４０）は前記データ送信機の動作パラメータに依存し、
前記動作パラメータは、データ送信機（１００）が個別のホッピングパターン（１４０）を取得するためにホッピングパターンに提供する周波数オフセットであり、
前記周波数オフセットはランダム周波数オフセットである、データ受信機（１１０）。
【請求項３３】
前記データ受信機（１１０）は、前記データ送信機の前記動作パラメータを知っている、請求項３２に記載のデータ受信機（１１０）。
【請求項３４】
前記データ受信機（１１０）は、前記動作パラメータを使用して前記データ送信機の前記個別のホッピングパターン（１４０）を計算するように構成される、請求項３３に記載のデータ受信機（１１０）。
【請求項３５】
前記データ受信機（１１０）は、ホッピングパターンのセットから、前記動作パラメータに応じて、前記データ送信機の前記個別のホッピングパターン（１４０）を決定するように構成される、請求項３２〜３４のいずれか一項に記載のデータ受信機（１１０）。
【請求項３６】
前記データ受信機（１１０）は、前記データ送信機（１００）に対して前記ホッピングパターンのセットを指定するように構成される、請求項３５に記載のデータ受信機（１１０）。
【請求項３７】
前記ホッピングパターンのセットが、前記データ受信機（１１０）および前記データ送信機（１００）に知られている、請求項３５に記載のデータ受信機（１１０）。
【請求項３８】
前記動作パラメータは、前記個別のホッピングパターンの使用頻度である、請求項３２〜３７のいずれか一項に記載のデータ受信機（１１０）。
【請求項３９】
前記データ受信機（１１０）は、前記個別のホッピングパターンの検出に使用される計算性能を、前記個別のホッピングパターンの前記使用頻度に関して適合させるように構成される、請求項３８に記載のデータ受信機（１１０）。
【請求項４０】
前記動作パラメータは、前記データ送信機の、または前記データ送信機（１００）によって送信されるメッセージの優先度である、請求項３２〜３９のいずれか一項に記載のデータ受信機（１１０）。
【請求項４１】
前記データ受信機（１１０）は、前記個別のホッピングパターンの前記検出に使用される計算性能を前記優先度に応じて適合させるように構成される、請求項４０に記載のデータ受信機（１１０）。
【請求項４２】
前記動作パラメータは、前記データ送信機の水晶公差である、請求項３２〜４１のいずれか一項に記載のデータ受信機（１１０）。
【請求項４３】
前記データ受信機（１１０）は、前記データ送信機の前記水晶公差に依存する周波数オフセットを決定するように構成され、
前記データ送信機は、前記データ受信機（１１０）により知られているホッピングパターンを送信して前記周波数オフセットから生じる前記データ送信機の前記個別のホッピングパターン（１４０）を決定する、請求項４２に記載のデータ受信機（１１０）。
【請求項４４】
前記個別のホッピングパターン（１４０）は、第１の個別のホッピングパターン（１４０）であり、
前記信号（１２０）は、第２の個別のホッピングパターンを含み、
前記第２の個別のホッピングパターンは、前記第１の個別のホッピングパターン（１４０）または前記動作パラメータに依存する、請求項３２〜４３のいずれか一項に記載のデータ受信機（１１０）。
【請求項４５】
前記第１の個別のホッピングパターン（１４０）は固定長を有し、
前記第２の個別のホッピングパターンは可変長を有する、請求項４４に記載のデータ受信機（１１０）。
【請求項４６】
前記データ受信機（１１０）は、前記第１の個別のホッピングパターンを使用して固定長のデータを受信するように構成され、
前記データ受信機（１１０）は、前記第２の個別のホッピングパターンを使用して可変長のデータを受信するように構成される、請求項４５に記載のデータ受信機（１１０）。
【請求項４７】
前記データ受信機（１１０）は、前記第１の個別のホッピングパターン（１４０）または前記動作パラメータに応じて、ホッピングパターンのセットから前記第２の個別のホッピングパターンを選択するように構成される、請求項４４〜４６のいずれか一項に記載のデータ受信機（１１０）。
【請求項４８】
前記データ受信機（１１０）は、前記第１の個別のホッピングパターン（１４０）または前記動作パラメータに応じてホッピングパターンを適合させて、前記第２の個別のホッピングパターンを取得するように構成される、請求項４４〜４６のいずれか一項に記載のデータ受信機（１１０）。
【請求項４９】
請求項１〜３１のいずれか一項に記載のデータ送信機（１００）と、
請求項３２〜４８のいずれか一項に記載のデータ受信機（１１０）と、を備えたシステム。
【請求項５０】
信号（１２０）を送信する方法（１６０）であって、
前記信号を送信すること（１６２）であって、前記信号は個別のホッピングパターン（１４０）を含み、
前記個別のホッピングパターン（１４０）は送信機側の動作パラメータに依存する、送信すること（１６２）を含み、
前記動作パラメータは、前記個別のホッピングパターン（１４０）を取得するために前記送信機側のホッピングパターンに提供する周波数オフセットであり、
前記周波数オフセットはランダム周波数オフセットである、方法（１６０）。
【請求項５１】
信号（１２０）を受信する方法（１７０）であって、
前記信号を受信すること（１７２）であって、前記信号は個別のホッピングパターン（１４０）を含み、
前記個別のホッピングパターン（１４０）は送信機側の動作パラメータに依存する、受信すること（１７２）を含み、
前記動作パラメータは、前記個別のホッピングパターン（１４０）を取得するために前記送信機側のホッピングパターンに提供する周波数オフセットであり、
前記周波数オフセットはランダム周波数オフセットである、方法（１７０）。
【請求項５２】
請求項５０または５１に記載の方法を実行するためのコンピュータプログラム。
【請求項５３】
ホッピングパターン（１４０）に従ってデータ（１２０）を送信するように構成されたデータ送信機（１００）であって、
前記データ送信機（１００）は、前記ホッピングパターン（１４０）における複数のホップ（１４２）の選択されたホップでのみ前記データを送信するように構成される（１４０）、
前記データ送信機（１００）は、ランダムにまたは動作パラメータに応じて前記選択されたホップを選択するように構成され、
前記ホッピングパターン（１４０）における前記選択されたホップは、前記ホッピングパターン（１４０）における前記複数のホップのサブセットである、データ送信機（１００）。
【請求項５４】
ホッピングパターン（１４０）に従ってデータ（１２０）を受信するように構成されたデータ受信機（１１０）であって、
前記データ（１２０）は、データ送信機（１００）によって前記ホッピングパターン（１４０）における複数のホップ（１４２）の選択されたホップでのみ送信され、
前記選択されたホップはランダムに、または動作パラメータに応じて選択され、
前記ホッピングパターン（１４０）における前記選択されたホップは、前記ホッピングパターン（１４０）における前記複数のホップのサブセット、または前記複数のホップの部分セットである、データ受信機（１１０）。
【請求項５５】
前記データ受信機（１１０）は、前記ホッピングパターンの前記複数のホップのすべてのホップを使用して検出を実行して、前記複数のホップのすべてのホップの検出結果を取得するように構成される、請求項５４に記載のデータ受信機（１１０）。
【請求項５６】
前記データ受信機（１１０）は、前記ホッピングパターンの前記複数のホップのすべてのホップの前記検出結果を組み合わせて前記データを決定するように構成される、請求項５５に記載のデータ受信機（１１０）。
【請求項５７】
請求項５３に記載のデータ送信機（１００）と、
請求項５４〜５６のいずれか一項に記載のデータ受信機（１１０）と、を備えたシステム。
【請求項５８】
ホッピングパターンに従ってデータ（１２０）を送信する方法（１８０）であって、
前記ホッピングパターンの複数のホップのうちのホップのサブセットを選択すること（１８２）であって、前記ホップのサブセットは、ランダムにまたは動作パラメータに応じて、複数のホップから選択される、選択すること（１８２）と、
前記ホッピングパターンの前記選択されたホップで前記データを送信すること（１８４）と、を含む、方法（１８０）。
【請求項５９】
任意のホッピングパターンに従ってデータ（１２０）を受信する方法（１９０）であって、
前記データを受信すること（１９２）であって、前記データは、前記ホッピングパターン（１４０）における複数のホップ（１４２）の選択されたホップでのみ送信され、前記ホップはランダムにまたは動作パラメータに応じて選択される、受信すること（１９２）
を含む、方法（１９０）。
【請求項６０】
請求項５８または５９に記載の方法を実行するためのコンピュータプログラム。
【請求項６１】
ホッピングパターンのセットを生成する方法（２００）であって、
複数のホッピングパターンをランダムに生成すること（２０２）であって、前記ホッピングパターンは、時間および周波数で分布する少なくとも２つのホップを含む、生成すること（２０２）と、
指定された自己相関特性を有するホッピングパターンを得るために、前記複数のホッピングパターンから、自己相関関数が指定された自己相関特性を含む前記ホッピングパターンを選択すること（２０４）と、
を含む、方法（２００）。
【請求項６２】
前記自己相関関数の計算を適用して、前記複数のホッピングパターンを二次元の時間および周波数占有行列にマッピングするステップを含む、請求項６１に記載の方法（２００）。
【請求項６３】
前記複数のホッピングパターンをマッピングする前記ステップは、起こりうる隣接周波数位置の影響（隣接チャネル干渉）を考慮して実行される、請求項６２に記載の方法（２００）。
【請求項６４】
前記自己相関関数は、２次元の自己相関関数である、請求項６１〜６３のいずれか一項に記載の方法（２００）。
【請求項６５】
前記ホッピングパターンを選択する際に、自己相関関数側の最大値が指定された最大振幅閾値を超えないホッピングパターンが、指定された前記自己相関特性を満たす、請求項６１〜６４のいずれか一項に記載の方法（２００）。
【請求項６６】
前記振幅閾値は、繰り返される前記ホッピングパターンのサブホッピングパターンを形成し、時間および／または周波数でシフトされるホップ数に等しい、請求項６５に記載の方法（２００）。
【請求項６７】
前記ホッピングパターンを選択する際に、それぞれの前記自己相関関数の指定された数の最大振幅値にわたって形成される小計が指定された閾値より小さい前記ホッピングパターンが、指定された前記自己相関特性を満たす、請求項６１〜６６のいずれか一項に記載の方法（２００）。
【請求項６８】
少なくとも２つのホッピングパターンが指定された前記自己相関特性を満たすように前記閾値が選択される、
または、境界パラメータに応じて前記閾値が選択される、請求項６７に記載の方法（２００）。
【請求項６９】
指定された自己相関特性を有する前記ホッピングパターン間の相互相関関数を計算すること（２０６）と、
指定された自己相関特性を有する前記ホッピングパターンから、指定された自己相関特性および指定された相互相関特性を有するホッピングパターンを得るために、その相互相関関数が指定された相互相関特性を含む前記ホッピングパターンを選択すること（２０８）と、をさらに含む、請求項６１〜６８のいずれか一項に記載の方法（２００）。
【請求項７０】
前記相互相関関数は、２次元相互相関関数である、請求項６９に記載の方法（２００）。
【請求項７１】
指定された自己相関特性を有する前記ホッピングパターンから前記ホッピングパターンを選択する際に、それぞれの前記相互相関関数の指定された数の最大振幅値にわたって形成される小計が最小のものである前記ホッピングパターンは、指定された前記相互相関特性を満たす、請求項６９または７０に記載の方法（２００）。
【請求項７２】
前記複数のホッピングパターンをランダムに生成する際に、それぞれの前記ホッピングパターンの前記ホップが指定された周波数帯域内にあるように前記ホッピングパターンが生成される、請求項６１〜７１のいずれか一項に記載の方法（２００）。
【請求項７３】
複数のさらなるホッピングパターンをランダムに生成することであって、
前記さらなるホッピングパターンは、周波数と時間に分布する少なくとも２つのホップを含む、生成することと、
指定された自己相関特性を有するさらなるホッピングパターンを得るために、前記複数のさらなるホッピングパターンから、その自己相関関数が指定された自己相関特性を含むさらなる前記ホッピングパターンを選択することと、をさらに含み、
前記複数のさらなるホッピングパターンをランダムに生成する際、前記さらなるホッピングパターンは、前記それぞれのさらなるホッピングパターンの前記ホップが指定されたさらなる周波数帯域内にあるように生成され、
前記指定された周波数帯域と前記指定されたさらなる周波数帯域とは、少なくとも部分的に重複している、請求項７２に記載の方法（２００）。
【請求項７４】
前記相互相関関数を計算する際に、前記相互相関関数は、指定された自己相関特性を有する前記ホッピングパターンと、指定された自己相関特性を有するさらなる前記ホッピングパターンとの間で計算され、
指定された自己相関特性を有する前記ホッピングパターンおよび指定された自己相関特性を有するさらなる前記ホッピングパターンから前記ホッピングパターンを選択する際に、その相互相関関数が指定された相互相関特性を含む前記ホッピングパターンが選択される、
請求項６９〜７１または７３のいずれか一項に記載の方法（２００）。
【請求項７５】
ホッピングパターンによる信号の送信であって、
前記ホッピングパターンは、時間ホッピングパターン、周波数ホッピングパターン、または前記時間ホッピングパターンと前記周波数ホッピングパターンとの組み合わせであり、
前記時間ホッピングパターンは、それぞれ２４のホップを有する次の８つの時間ホッピングパターンのいずれかであり：
2020517174.tif 000065
表の各行は時間ホッピングパターンであり、
前記表の各列は第２のホップから始まるそれぞれの前記時間ホッピングパターンのホップであるため、各時間ホッピングパターンは２４のホップを含み、
前記表の各セルは各々の前記ホップの基準点から、次のホップの同じ基準点までのシンボルの持続時間またはシンボルの持続時間の倍数における時間間隔を示し、
前記周波数ホッピングパターンは、それぞれ２４のホップを有する次の８つの周波数ホッピングパターンのいずれかであり：
2020517174.tif 000066
表の各行は周波数ホッピングパターンであり、
前記表の各列は各々の前記周波数ホッピングパターンのホップであり、
前記表の各セルはキャリア（ＵＣＧ＿Ｃ０〜ＵＣＧ＿Ｃ２３）の各周波数ホッピングパターンの各ホップの送信周波数を示す、
送信。
【請求項７６】
前記信号は、±２０ｐｐｍ以上の水晶公差を含むノードによって送信される、請求項７５に記載の送信。
【請求項７７】
ホッピングパターンに従った信号の送信であって、
前記ホッピングパターンは、時間ホッピングパターン、周波数ホッピングパターン、または前記時間ホッピングパターンと前記周波数ホッピングパターンとの組み合わせであり、
前記時間ホッピングパターンは、それぞれ２４のホップを有する次の８つの時間ホッピングパターンのいずれかであり：
2020517174.tif 000067
表の各行は時間ホッピングパターンであり、
前記表の各列は第２のホップから始まるそれぞれの前記時間ホッピングパターンのホップであるため、各時間ホッピングパターンは２４のホップを含み、
前記表の各セルは各々の前記ホップの基準点から、次のホップの同じ基準点までのシンボルの持続時間またはシンボルの持続時間の倍数における時間間隔を示し、
前記周波数ホッピングパターンは、それぞれ２４のホップを有する次の８つの周波数ホッピングパターンのいずれかであり：
2020517174.tif 000068
表の各行は周波数ホッピングパターンであり、
前記表の各列は各々の前記周波数ホッピングパターンのホップであり、
前記表の各セルはＵＣＧ＿Ｃ０からＵＣＧ＿Ｃ２４までのキャリアの各々の前記周波数ホッピングパターンの各々の前記ホップの送信周波数を示す、送信。
【請求項７８】
前記信号は、±１０ｐｐｍ以上の水晶公差を含むノードによって送信される、請求項７７に記載の送信。
【請求項７９】
データパケットが前記ホッピングパターンに従って複数のサブデータパケットに分割されて送信され、前記複数のサブデータパケットのサブデータパケットが前記ホッピングパターンの各ホップで送信される、請求項７５〜７８のいずれか一項に記載の送信。
【請求項８０】
前記ホッピングパターンは、前記時間ホッピングパターンと前記周波数ホッピングパターンとの組み合わせであり、
前記時間ホッピングパターンと前記周波数ホッピングパターンは、それぞれの前記表において同じ行番号を含む、請求項７５〜７９のいずれか一項に記載の送信。
【請求項８１】
ホッピングパターンを持つ信号の受信であって、
前記ホッピングパターンは、時間ホッピングパターン、周波数ホッピングパターン、または前記時間ホッピングパターンと前記周波数ホッピングパターンの組み合わせであり、
前記時間ホッピングパターンは、それぞれ２４のホップを有する次の８つの時間ホッピングパターンのいずれかであり：
2020517174.tif 000069
表の各行は時間ホッピングパターンであり、
前記表の各列は第２のホップから始まるそれぞれの前記時間ホッピングパターンのホップであるため、各時間ホッピングパターンは２４のホップを含み、
前記表の各セルは各々の前記ホップの基準点から、次のホップの同じ基準点までのシンボルの持続時間またはシンボルの持続時間の倍数における時間間隔を示し、
前記周波数ホッピングパターンは、それぞれ２４のホップを有する次の８つの周波数ホッピングパターンのいずれかであり：
2020517174.tif 000070
表の各行は周波数ホッピングパターンであり、
前記表の各列はそれぞれの前記周波数ホッピングパターンのホップであり、
前記表の各セルはキャリア（ＵＣＧ＿Ｃ０からＵＣＧ＿Ｃ２３）のそれぞれの前記周波数ホッピングパターンのそれぞれの前記ホップの送信周波数を示す、受信。
【請求項８２】
ホッピングパターンを持つ信号の受信であって、
前記ホッピングパターンは、時間ホッピングパターン、周波数ホッピングパターン、または前記時間ホッピングパターンと前記周波数ホッピングパターンの組み合わせであり、
前記時間ホッピングパターンは、それぞれ２４のホップを有する次の８つの時間ホッピングパターンのいずれかであり：
2020517174.tif 000071
表の各行は時間ホッピングパターンであり、
前記表の各列は第２のホップから始まるそれぞれの前記時間ホッピングパターンのホップであるため、各時間ホッピングパターンは２４のホップを含み、前記表の各セルは各々の前記ホップの基準点から、次のホップの同じ基準点までのシンボルの持続時間またはシンボルの持続時間の倍数における時間間隔を示し、
前記周波数ホッピングパターンは、それぞれ２４のホップを有する次の８つの周波数ホッピングパターンのいずれかであり：
2020517174.tif 000072
表の各行は周波数ホッピングパターンであり、
前記表の各列はそれぞれの前記周波数ホッピングパターンのホップであり、
前記表の各セルはキャリア（ＵＣＧ＿Ｃ０〜ＵＣＧ＿Ｃ２９）のそれぞれの前記周波数ホッピングパターンのそれぞれの前記ホップの送信周波数を示す、受信。
【請求項８３】
ホッピングパターンによる信号の送信であって、
前記ホッピングパターンは、時間ホッピングパターン、周波数ホッピングパターン、または前記時間ホッピングパターンと前記周波数ホッピングパターンとの組み合わせであり、
前記時間ホッピングパターンは、それぞれ１８のホップを有する次の８つの時間ホッピングパターンのいずれかであり：
2020517174.tif 000073
表の各行は時間ホッピングパターンであり、
前記表の各列は第２のホップから始まるそれぞれの前記時間ホッピングパターンのホップであるため、各時間ホッピングパターンは１８のホップを含み、前記表の各セルは各々の前記ホップの基準点から、次のホップの同じ基準点までのシンボルの持続時間またはシンボルの持続時間の倍数における時間間隔を示し、
前記周波数ホッピングパターンは、それぞれ１８のホップを有する次の８つの周波数ホッピングパターンのいずれかであり：
2020517174.tif 000074
表の各行は周波数ホッピングパターンであり、
前記表の各列は各々の前記周波数ホッピングパターンのホップであり、前記表の各セルはキャリア（ＵＣＧ＿Ｃ０からＵＣＧ＿Ｃ２３）の各周波数ホッピングパターンの各ホップの送信周波数を示す、送信。
【請求項８４】
前記信号は、±２０ｐｐｍ以上の水晶公差を含むノードによって送信される、請求項８３に記載の送信。
【請求項８５】
ホッピングパターンに従った信号の送信であって、
前記ホッピングパターンは、時間ホッピングパターン、周波数ホッピングパターン、または前記時間ホッピングパターンと前記周波数ホッピングパターンとの組み合わせであり、
前記時間ホッピングパターンは、それぞれ１８のホップを有する次の８つの時間ホッピングパターンのいずれかであり：
2020517174.tif 000075
表の各行は時間ホッピングパターンであり、
前記表の各列は第２のホップから始まるそれぞれの前記時間ホッピングパターンのホップであるため、各時間ホッピングパターンは１８のホップを含み、前記表の各セルは各々の前記ホップの基準点から、次のホップの同じ基準点までのシンボルの持続時間またはシンボルの持続時間の倍数における時間間隔を示し、
前記周波数ホッピングパターンは、それぞれ１８のホップを有する次の８つの周波数ホッピングパターンのいずれかであり：
2020517174.tif 000076
表の各行は周波数ホッピングパターンであり、
前記表の各列はそれぞれの前記周波数ホッピングパターンのホップであり、
前記表の各セルはキャリア（ＵＣＧ＿Ｃ０からＵＣＧ＿Ｃ２９）のそれぞれの前記周波数ホッピングパターンのそれぞれの前記ホップの送信周波数を示す、送信。
【請求項８６】
前記信号は、±１０ｐｐｍ以上の水晶公差を含むノードによって送信される、請求項８５に記載の送信。
【請求項８７】
データパケットが前記ホッピングパターンに従って複数のサブデータパケットに分割されて送信され、前記複数のサブデータパケットのサブデータパケットが前記ホッピングパターンの各ホップで送信される、請求項８３〜８６のいずれか一項に記載の送信。
【請求項８８】
前記ホッピングパターンは、前記時間ホッピングパターンと前記周波数ホッピングパターンとの組み合わせであり、
前記時間ホッピングパターンと前記周波数ホッピングパターンは、それぞれの前記表において同じ行番号を含む、請求項８３〜８７のいずれか一項に記載の送信。
【請求項８９】
ホッピングパターンを持つ信号の受信であって、
前記ホッピングパターンは、時間ホッピングパターン、周波数ホッピングパターン、または前記時間ホッピングパターンと前記周波数ホッピングパターンの組み合わせであり、
前記時間ホッピングパターンは、それぞれ１８のホップを有する次の８つの時間ホッピングパターンのいずれかであり：
2020517174.tif 000077
表の各行は時間ホッピングパターンであり、
前記表の各列は第２のホップから始まるそれぞれの前記時間ホッピングパターンのホップであるため、各時間ホッピングパターンは１８のホップを含み、
前記表の各セルは各々の前記ホップの基準点から、次のホップの同じ基準点までのシンボルの持続時間またはシンボルの持続時間の倍数における時間間隔を示し、
前記周波数ホッピングパターンは、それぞれ１８のホップを有する次の８つの周波数ホッピングパターンのいずれかであり：
2020517174.tif 000078
表の各行は周波数ホッピングパターンであり、
前記表の各列はそれぞれの前記周波数ホッピングパターンのホップであり、
前記表の各セルはキャリア（ＵＣＧ＿Ｃ０からＵＣＧ＿Ｃ２３）のそれぞれの前記周波数ホッピングパターンのそれぞれの前記ホップの送信周波数を示す、受信。
【請求項９０】
ホッピングパターンを持つ信号の受信であって、
前記ホッピングパターンは、時間ホッピングパターン、周波数ホッピングパターン、または前記時間ホッピングパターンと前記周波数ホッピングパターンの組み合わせであり、
前記時間ホッピングパターンは、それぞれ１８のホップを有する次の８つの時間ホッピングパターンのいずれかであり：
2020517174.tif 000079
表の各行は時間ホッピングパターンであり、
前記表の各列は第２のホップから始まるそれぞれの前記時間ホッピングパターンのホップであるため、各時間ホッピングパターンは１８のホップを含み、前記表の各セルは各々の前記ホップの基準点から、次のホップの同じ基準点までのシンボルの持続時間またはシンボルの持続時間の倍数における時間間隔を示し、
前記周波数ホッピングパターンは、それぞれ１８のホップを有する次の８つの周波数ホッピングパターンのいずれかであり：
2020517174.tif 000080
表の各行は周波数ホッピングパターンであり、
前記表の各列はそれぞれの前記周波数ホッピングパターンのホップであり、
前記表の各セルはキャリア（ＵＣＧ＿Ｃ０からＵＣＧ＿Ｃ２９）のそれぞれの前記周波数ホッピングパターンのそれぞれの前記ホップの送信周波数を示す、受信。
【国際調査報告】
2020517174.tif 000081
2020517174.tif 000082
2020517174.tif 000083
2020517174.tif 000084
2020517174.tif 000085
2020517174.tif 000086
2020517174.tif 000087
2020517174.tif 000088
2020517174.tif 000089
2020517174.tif 000090